(57)【特許請求の範囲】
【請求項１】
外周形状が非矩形状をなす画素アレイであって、
複数の非矩形画素からなると共に、互いに平行に配列された複数の第１の直線導線からなる第１の導線群と、互いに平行に配列された複数の第２の直線導線からなる第２の導線群と、互いに平行に配列された複数の第３の直線導線からなる第３の導線群とが、互いに交差する態様で配設されていることを特徴とする非矩形状の画素アレイ。
【請求項２】
内部に、画素が存在しない非表示部を有し、該非表示部の輪郭形状が非矩形状をなす画素アレイであって、
複数の非矩形画素からなると共に、互いに平行に配列された複数の第１の直線導線からなる第１の導線群と、互いに平行に配列された複数の第２の直線導線からなる第２の導線群と、互いに平行に配列された複数の第３の直線導線からなる第３の導線群とが、互いに交差する態様で配設されていることを特徴とする非矩形状の画素アレイ。
【請求項３】
前記非矩形画素は、前記第１の導線、第２の導線又は第３の導線と平行な、２つ又は３つの異なる軸の各軸に平行な方向に沿って、並べられて配置されていることを特徴とする請求項１又は２記載の非矩形状の画素アレイ。
【請求項４】
前記非矩形画素は、前記第１の直線導線と前記第２の直線導線と前記第３の直線導線とに囲まれて画成されてなる概略三角形状の画素からなることを特徴とする請求項１又は２記載の非矩形状の画素アレイ。
【請求項５】
前記非矩形画素は、前記第１の直線導線と前記第２の直線導線とに囲まれて画成されてなる概略平行四辺形状の画素からなることを特徴とする請求項１又は２記載の非矩形状の画素アレイ。
【請求項６】
前記第１の導線群の概略全部及び前記第２の導線群の主要部が第１の配線層に形成され、前記第２の導線群のうち、前記第１の導線群と交差する交差領域及び前記第３の導線群の概略全部が第２の配線層に形成され、前記第２の導線群の前記主要部と前記交差領域とがコンタクトで結ばれていることを特徴とする請求項１又は２記載の非矩形状の画素アレイ。
【請求項７】
画素が存在しない前記非表示部が、中空開口部からなることを特徴とする請求項２記載の非矩形状の画素アレイ。
【請求項８】
前記複数の非矩形画素のそれぞれが、カラー表示を構成する所定の複数色のうち、何れかの色の色画素をなすと共に、前記複数色の前記色画素の組合せにより前記カラー表示用の単位画素が形成されていることを特徴とする請求項１から７の何れか１つに記載の画素アレイ。
【請求項９】
前記各色画素に線状に隣接する同一色の前記色画素の数が、１又は０に設定されて、前記複数色の前記色画素が配列されていることを特徴とする請求項８記載の画素アレイ。
【請求項１０】
前記非矩形画素は、互いに異なる非矩形の形状を有する複数種類のサブ画素として機能すると共に、複数種類の前記サブ画素の組み合わせパターンを電気的に変えることで、非矩形の画素表示又は矩形の画素表示に設定又は設定変更できる構成になされていることを特徴とする請求項１から７の何れか１つに記載の画素アレイ。
【請求項１１】
請求項１乃至１０のいずれか1つに記載の画素アレイを備えてなることを特徴とする表示装置。
【請求項１２】
非矩形状の外形を有していることを特徴とする請求項１１記載の表示装置。
【請求項１３】
前記画素アレイの外周形状と概略相似形の外形を有していることを特徴とする請求項１１記載の表示装置。
【請求項１４】
前記画素アレイの外側に、前記画素アレイの外周形状に沿って、前記各直線導線を駆動するための周辺回路が設けられていることを特徴とする請求項１１記載の表示装置。
【発明の詳細な説明】
【技術分野】
【０００１】
この発明は、非矩形状の画素アレイ及び該アレイを備える表示装置に係り、とくには、非矩形の外周形状を有する画素アレイ、及び該アレイを備えると共に、自身の外周形状も、滑らかな曲線からなる非矩形状の表示装置に関する。
【背景技術】
【０００２】
近年、表示装置の小型化・薄型化・軽量化の進展に伴う適用拡大に伴い、画素アレイ（以下、表示エリアともいう）の外形が非矩形の形状を有する表示装置の製品化要求も高まってきている。この種の表示装置としては、従来、例えば、特許文献１及び特許文献２に記載のものが知られている。
図４５は、特許文献１に記載の表示装置の構成を示し、この表示装置は、非矩形状の外形をなす画素アレイ４０と、少なくとも３つに分割された行ドライバ回路部４１、４１、…と少なくとも３つに分割された列ドライバ回路部４２、４２、…とを概略備えている。これら行ドライバ回路部４１、４１、…と列ドライバ回路部４２、４２、…とは、画素アレイ４０に沿って交互に配置されていて、各画素は、対応する行導線及び列導線に接続する行ドライバ回路部４１、４１、…及び列ドライバ回路部４２、４２、…によってアドレッシングされる構成となっている。このような構成によれば、複雑な外形をなす画素アレイ４０の各画素に対しても、表示／非表示を制御することができる。
ここで、特許文献1には、画素アレイ４０を構成する各画素の形状については明記されていない。しかしながら、特許文献１に記載の表示装置では、図４５に示すように、行導線と列導線とが互いに直交して配列される構成であることから、各画素は矩形の形状をなしていると想定するのが自然である（画素電極自体が矩形とは限らないが、少なくとも１画素単位を構成する最小パターンが矩形の形状をなしていると考えられる）。
【０００３】
特許文献１に記載の技術では、画素アレイ４０の異形の外周上に設定される、隣り合う行ドライバ回路部４１と列ドライバ回路部４２との間の移行点の位置は、次のようにして特定される。
まず、画素アレイ４０の異形をなす外周への接線が行導線又は列導線と平行になるような外周上の接点位置（図４５の中の黒丸）４３、４３、…を確認して、これらの接点位置４３、４３、…を移行点の位置として特定する。これらの接点位置４３、４３、…は、外周上の突起部又は凹部の最奥部に位置している。次に、行導線又は列導線に沿って、これらの接点位置４３、４３、…と相対向する外周上の位置が、まだ、移行点の設定位置４３、４３、…として特定されていなければ、これらも移行点の位置（同図中の白丸）４４、４４として特定する。全ての移行点の特定に基づいて、複数に分割された行ドライバ回路部４１、４１、…と複数に分割された列ドライバ回路部４２、４２、…とが配置されると、画素アレイ４０を構成する任意の画素において、行導線の一端が行ドライバ回路部４１につながり、行導線の他端が列ドライバ回路部４２に臨んで相対向する配置状態となる。同様に、任意の画素において、対応する列導線の一端が列ドライバ回路部４２につながり、列導線の他端が行ドライバ回路部４１に臨んで相対向する配置状態となる。また、この表示装置では、分割された行ドライバ回路部４１の端部で、次の行ドライバ回路部４１にキャリー信号を送る構成となっている。
【０００４】
次に、図４６は、特許文献２に記載の表示装置を示し、この表示装置は、互いに直交した画素行４５、４５、…と画素列４６、４６、…の状態に配列された複数の画素４７、４７、…からなる八角形状の画素アレイ４８を備えている。行ドライバ回路５２及び列ドライバ回路５３は、同図に示すように、八角形状の画素アレイ４８の外周のうち、最も上のコーナ部に配置されている。
画素アレイ４８中の個々の画素４７、４７、…は、同図に示すように、矩形の形状をなし、全体として格子を構成する第１のアドレス指定導体４９、４９、…と第２のアドレス指定導体５０、５０、…との各交点５１、５１、…と１対１に関連付けされていて、これにより、第１のアドレス指定導体４９と第２のアドレス指定導体５０との対により一義的にアドレス指定できる構成となっている。
【０００５】
この表示装置では、同図に示すように、第１のアドレス指定導体４９、４９、…と第２のアドレス指定導体５０、５０、…とが、矩形状の画素４７、４７、…の行及び列に対して、斜めに配線されていて、かつ、互いに斜交状態に配列されている。
このような構成によれば、矩形状の画素４７、４７、…の行及び列を、第１及び第２のアドレス指定導体４９、５０から切り離すことができるので、ドライバ回路の位置設定の自由度を得ることができる。この自由度により、製品設計の要件を満たすようスペースの節約を行うことができる。例えば、図４６に示すように、表示エリア（画素アレイ４８）の各側に必要な側方スペースが少なくて済む分、表示エリア占有領域を十分に大きく確保することができ、併せて、中心合わせも良好になる。
【先行技術文献】
【特許文献】
【０００６】
【特許文献１】特表２００５―５２８６４４号公報
【特許文献２】特表２００５―５２９３６８号公報
【特許文献３】特開２００４―２１２４９８号公報
【特許文献４】特開２００４―２１２５００号公報
【特許文献５】特開２００６―２７６３５９号公報
【発明の概要】
【発明が解決しようとする課題】
【０００７】
ところで、非矩形状の表示装置では、表示エリア（画素アレイ）の外周輪郭が滑らかで優美な形状（例えば、閉曲線）をなすことが望ましい。
しかしながら、特許文献1及び特許文献２に記載の表示装置では、上記したように、表示エリア（画素アレイ４０、４８）が非矩形の形状をなすものの、表示エリアを構成する各画素４７が矩形の形状をなすため、表示装置の外周部では、矩形の画素４７と非矩形の外周輪郭とが整合しない領域が生じる、という不都合がある。すなわち、これらの装置構成では、図４７及び図４８に示すように、非矩形の表示エリアの外周部のうち、曲線領域（又は傾斜領域）５４では、複数の画素４７、４７、…群が階段状に配列されるため、滑らかで優美な輪郭形状を有する表示アリアが得られず、視認時、看る者に不快なぎざぎざ感を印象付けるので、美観が損なわれ、意匠上好ましくない、という問題がある。
【０００８】
また、特許文献1及び２に記載の表示装置では、ある形状の外周輪郭を含む任意の傾斜線又は曲線パターンを表示する際、具体的に言えば、表示エリアの外周輪郭と相似形のパターンや外周輪郭から所定の等距離隔たる位置同士を結んで得られる等距離線パターン等（あたかも、地図上の等高線に似ているので、以下、等高線状の形状又は図形とも言う）を表示する際、該当する領域において、複数の矩形状の画素が階段状に選択されて制御されるため、図４８に示すように、表示される傾斜図形又は曲線図形５５ａが、看る者には不快なぎざぎざや歪みを持つパターンとして視認されるので、表示品質上好ましくない、という問題もある。
【０００９】
加えて、図４９に示すような非矩形の表示エリア（この例では、図４８と同一形状の表示エリア）を持つカラー表示装置にあっては、表示エリアの外周曲線部分や表示パターンの外形曲線部分で特定の色のみが強調されて認識されてしまう領域が発生し、色のにじみ等として認識されるという問題がある。カラー表示装置では、図４９に示すように、各画素５７は、赤色のカラーフィルタを備える矩形の赤色画素（赤色セグメント）５７ｒと、緑色のカラーフィルタを備える矩形の緑色画素（緑色セグメント）５７ｇと、青色のカラーフィルタを備える矩形の青色画素（青色セグメント）５７ｂとの三種類の色画素（色セグメント）から構成され、画素単位としても矩形の形状に形成されている。三種類の色画素は、全体としてストライプ上に配列されて形成されている。
【００１０】
このようなカラー表示装置によって、表示エリアの外周輪郭と相似形の等高線状の形状５５を、図４９に示すように、形状優先で白表示すると、緑色画素５７ｇ、青色画素５７ｂのみが表示され、赤色画素５７ｒが表示されない画素領域が現われる（図４９の○印の領域）。表示パターンの外形曲線部分の画素領域では、ところどころ、白色は観察されずに、青と緑の混色であるシアン色（ギザギザの色にじみ）が観察されることとなるので、表示品質上好ましくない。これを解決するために、画素５７を構成する赤色画素５７ｒ、緑色画素５７ｇ、青色画素５７ｂの全てを必ず用いて（つまり、色相優先で）白表示することもできる。しかし、色相優先で白表示すれば、色のにじみはなくなるが、一方で、３色画素毎に角が生じることになり、表示エリアや表示パターンのぎざぎざ感が増してしまう、という問題が生じ、この場合も、看者にとって不愉快である。
【００１１】
加えて、非矩形状の表示装置のうち、例えば、表示エリア内部に中空部分又は貫通孔部分を有する極めて異形の表示装置については、特許文献１及び２に記載の構成では、実現が困難である、という問題もある。
【００１２】
また、特許文献２に記載の表示装置では、図４６に示すように、第１のアドレス指定導体４９、４９、…及び第２のアドレス指定導体５０、５０、…が画素４７、４７、…の開口内を斜めに通過して、開口を部分的に塞ぐ構成であるため、開口率が著しく低下する、という欠陥がある。加えて、第１のアドレス指定導体４９、４９、…と第２のアドレス指定導体５０、５０、…とが画素４７、４７、…内で交差する位置が、画素４７、４７、…毎に異なることから、交差部位又はその近傍に１対１に設けられるスイッチング素子の配置が画素４７、４７、…毎に異なるため、設計が極めて困難である、という不都合もある。さらにまた、上記したように、スイッチング素子の配列が均等でないことから、画素４７、４７、…毎に欠陥等が発生する場所も異なるため、検査が煩雑となり、ひいては、均質な品質の表示装置を作製することが困難である。
【００１３】
さらに、特許文献２に記載の表示装置では、画素４７、４７、…と、第１のアドレス指定導体４９、４９、…と第２のアドレス指定導体５０、５０、…とは、異なる方向に、かつ、互いに異なるピッチで配列されているため、これら規則的に変化する模様の重なりによってモアレ（粗い干渉縞）が発生する、という弊害もある。
構造上発生するこの種のモアレは原理的なものであり、単純な手法では消去できないので厄介である。画素４７、４７、…の形状と第１のアドレス指定導体４９、４９、…と第２のアドレス指定導体５０、５０、…とが交差する角度等を調節することによって、この種のモアレを軽減することはできるが、この角度調節は、同時に、開口率の低下を招くと共に、設計上の大きな制約、例えば、周辺回路の配置位置と表示エリアの形状とが干渉する等の設計上の弊害を伴うので、好ましくない。
【００１４】
ところで、特許文献２に記載されているように、矩形状の画素アレイに対して、等角写像法を施すことで、ぎざぎざ感が緩和される非矩形状の画素アレイを得ることができる。しかしながら、個々の画素の規則性が低下するし、また、対称性も低下するため、表示されたパターン、とくに、文字の視認性が著しく低下する、という欠陥が伴うので、不都合である。加えて、等角写像法による画素アレイは、最小パターンの繰り返しとはならないことが多く、計算して得られた座標に基づいて、個々の画素を手作業で設計する必要があり、極めて煩雑な作業を余儀なくされる。また、設計終了後も、単純な繰り返しパターンが殆んどないためデータ量が膨大となり、以降のマスク作製等での作業・工数が膨大となる等の不都合があり、実用上好ましくない。
【００１５】
また、特許文献１及び２に記載の非矩形状の表示装置では、電位や信号を各画素の対応電極に供給したり、供給した電位や信号を変化させるための第３の導線群を設けることは想定されていない。もしも、このような第３の導線群を特許文献１に記載の構成に付設しようとすれば、画素アレイ４０の外周近傍には空き領域が乏しいため、第３のドライバ回路部を既設の２種類のドライバ回路部４１、４２の外側に設けなければならず、このようにすれば、画素アレイ４０に対して周辺回路領域が占める割合が増加するので、意匠効果を重要視する非矩形状の表示装置としては、好ましくない。加えて、ドライバ回路部４１、４２に接続される導線、及びドライバ回路部４１、４２と、第３の導線との間に多数の交差領域ができるので、導線同士の重なりにより生じるクロス容量、導線又はドライバ回路部と別の導線が接近することにより生じる寄生容量が極めて増大するという欠点を招く。増大した寄生容量が駆動に与える影響を抑えるためには、ドライバ回路部で想定される負荷容量を大きくすることが」考えられるが、このようにすれば、回路面積が増大するという弊害を伴う。また、ドライバ回路部と導線が複雑に配置されるため、導線と回路でのショート等が生じる虞が高くなり、歩留と信頼性が低下する。
【００１６】
これに対して、特許文献２に記載の構成では、ドライバ回路部４１、４２と重ならない場所に第３の周辺回路６を設けることは容易であり、例えば、図４６の表示エリア４８の下側等に設けることが可能である。しかしながら、特許文献２に記載の構成では、上記したように、行導線と列導線が画素内で交差する位置が画素毎に異なっているので、設計が一層困難となる上、また、モアレ発生の増加を招く虞がある。
【００１７】
なお、特許文献３乃至５には、非矩形状の表示装置に係る技術が記載されているが、これらの文献には、上記した従来技術の各問題点及びこれらの問題点を解消するための技術手段についての記載はない。
【００１８】
この発明は、上述の事情に鑑みてなされたもので、画像の明るさや視認性や忠実性等を損なわずに、滑らかで優美な外周形状を有する異形（非矩形）の画素アレイ及び該アレイを備える表示装置を提供することを目的としている。
【課題を解決するための手段】
【００１９】
上記課題を解決するために、この発明の第１の構成は、外周形状が非矩形状をなす画素アレイに係り、複数の非矩形画素からなると共に、互いに平行に配列された複数の第１の直線導線からなる第１の導線群と、互いに平行に配列された複数の第２の直線導線からなる第２の導線群と、互いに平行に配列された複数の第３の直線導線からなる第３の導線群とが、互いに交差する態様で配設されていることを特徴としている。
【００２０】
また、この発明の第２の構成は、内部に、画素が存在しない非表示部を有し、該非表示部の輪郭形状が非矩形状をなす画素アレイに係り、複数の非矩形画素からなると共に、互いに平行に配列された複数の第１の直線導線からなる第１の導線群と、互いに平行に配列された複数の第２の直線導線からなる第２の導線群と、互いに平行に配列された複数の第３の直線導線からなる第３の導線群とが、互いに交差する態様で配設されていることを特徴としている。
【００２１】
また、この発明の第３の構成は、複数の非矩形画素のそれぞれが、カラー表示を構成する所定の複数色のうち、何れかの色の色画素をなすと共に、前記複数色の前記色画素の組合せにより前記カラー表示用の単位画素が形成されている非矩形形状の画素アレイに係り、前記各色画素に線状に隣接する同一色の前記色画素の数が、１又は０に設定されて、前記複数色の前記色画素が配列されていることを特徴としている。
【００２２】
また、この発明の第４の構成は、非矩形形状の画素アレイに係り、非矩形画素は、互いに異なる非矩形の形状を有する複数種類のサブ画素として機能すると共に、複数種類の前記サブ画素の組み合わせパターンを電気的に変えることで、非矩形の画素表示又は矩形の画素表示に設定又は設定変更できる構成になされていることを特徴としている。
【発明の効果】
【００２３】
この発明の構成によれば、画像の明るさや視認性や忠実性等を損なわずに、滑らかで優美な外周輪郭を有する異形（非矩形）の画素アレイを実現できる。特に、色画素を用いた場合には、同じ色の色画素が線状に隣接する数が１以下のため、色のにじみを低減しつつ、滑らかで優美な外周輪郭を表現できる。
具体的には、この発明の非矩形状の画素アレイを用いれば、意匠性のみならず機能性にも優れる表示装置を具現できる。例えば、画素アレイの外周形状と概略相似形の外形を有する意匠性の高い表示装置を容易に具現化できる。特に、色画素を用いた場合には、同じ色の色画素が線状に隣接する数が１以下のため、色のにじみを低減しつつ、画素アレイの外周形状と概略相似形の外形を有する表示を実現できる。
【００２４】
さらに、この発明の別の構成では、非矩形画素が、互いに異なる非矩形の形状を有する複数種類のサブ画素として機能し、複数種類の前記サブ画素の組み合わせパターンを電気的に変えることで、非矩形の画素表示又は矩形の画素表示に設定又は設定変更できるので、文字表示では矩形の画素表示を選択し、図形表示では非矩形の画素表示を選択すれば、文字表示の視認性の向上を図ることができる。それゆえ、画素アレイを変化させることなく、サブ画素の組合せ方法を変化できるため、表示内容に応じた好適な表示を得ることができる。
また、画素アレイの内部に、例えば、中空開口部等の非矩形状の非表示部を容易に設けることができるので、意匠性のみならず機能性にも優れる表示装置を容易に具現化できる。
【００２５】
また、画素内を導線が横切らないように構成することで、画素の開口率を高くすることができので、光の利用効率が向上し、画像が明るく、視認性が良好になる一方、消費電力の低下を達成することができる。加えて、寄生容量を増大させることなく、画素エリア内の配線設計が容易であり、このため、画素アレイ、ひいては、該画素アレイを備える表示装置の歩留と信頼性の向上を図ることができる。
加えて、３種類の導線等が互いに交差することで画成される非矩形の画素単位が、単一の繰り返し単位となるので、モアレの軽減にも有効である。
【図面の簡単な説明】
【００２６】
【図１】この発明の第１の実施形態である非矩形状の表示装置の構成を概略的に示す正面図である。
【図２】同実施形態の表示装置を構成する表示エリア内の画素及び各種配線パターンを概略的に示す正面図である。
【図３】同表示エリアの一部を拡大して模式的に示す拡大図である。
【図４】同表示エリアの外周部分を拡大して模式的に示す拡大図である。
【図５】同実施形態の表示装置の表示動作を説明するために供される図である。
【図６】同実施形態の表示装置の表示動作を説明するために供される図である。
【図７】同実施形態の表示装置の表示動作を説明するために供される図である。
【図８】この発明の第１の実施例である表示エリアの電気的構成を模式的部分的に示す構成図である。
【図９】この発明の第２の実施例である表示エリアの電気的構成を模式的部分的に示す構成図である。
【図１０】参考発明の第１の実施例である表示エリアでのアクティブ素子の配置を概略示す図である。
【図１１】同実施例の表示エリアの回路構成を部分的に示す回路構成図である。
【図１２】同実施例の第１の駆動方法を説明するために供されるタイミングチャートである。
【図１３】同実施例の第２の駆動方法を説明するために供されるタイミングチャートである。
【図１４】参考発明の第２の実施例である表示エリアの回路構成を部分的に示す回路構成図である。
【図１５】同実施例の駆動方法の説明に供されるタイミングチャートである。
【図１６】同実施例の駆動方法の説明に供されるタイミングチャートである。
【図１７】参考発明の第３の実施例である表示エリアの回路構成を部分的に示す回路構成図である。
【図１８】同実施例の駆動方法の説明に供されるタイミングチャートである。
【図１９】参考発明の第４の実施例である表示エリアの回路構成を部分的に示す回路構成図である。
【図２０】同実施例の駆動方法の説明に供されるタイミングチャートである。
【図２１】この発明の第３の実施例である非矩形状の表示装置の構成を概略的に示す正面図である。
【図２２】この発明の第１の実施形態の変形例である表示エリアの一部を拡大して模式的に示す拡大図である。
【図２３】参考発明の第１の実施形態である非矩形状の表示装置を構成する表示エリア内の各種配線パターンの一部を拡大して模式的に示す拡大図である。
【図２４】同実施形態の表示装置を構成する表示エリア内の各種配線パターンの一部を拡大して模式的に示す拡大図である。
【図２５】同実施形態の表示装置を構成する表示エリア内の各種配線パターンの一部を拡大して模式的に示す拡大図である。
【図２６】この発明の第２の実施形態である非矩形状の表示装置を構成する表示エリア内の各種配線パターンの一部を拡大して模式的に示す拡大図である。
【図２７】この発明の第３の実施形態であるＩＰＳ液晶表示装置の表示エリアを構成する画素まわりの配線を示す配線図である。
【図２８】同実施形態のＩＰＳ液晶表示装置の表示エリアを構成する画素まわりの配線を示す配線図である。
【図２９】同実施形態のＩＰＳ液晶表示装置を構成する表示エリア内のアクティブ素子の極性分布図である。
【図３０】この発明の第４の実施形態である非矩形状の表示装置の構成を概略的に示す正面図である。
【図３１】同実施形態の非矩形状の表示装置の使用形態の一例を示す図である。
【図３２】この発明の第５の実施形態である非矩形状の表示装置の構成を概略的に示す正面図である。
【図３３】この発明の第７の実施形態である、非矩形状の表示装置が組み込まれた装飾型の機器の外観を示す斜視図である。
【図３４】この発明の第８の実施形態である、非矩形状の表示装置が組み込まれた装飾型の機器の外観を示す斜視図である。
【図３５】この発明の好適な実施形態の概要を説明するために供される図である。
【図３６】この発明の好適な実施形態の概要を説明するために供される図である。
【図３７】この発明の第９の実施形態である非矩形状のカラー表示装置を構成する表示エリア内の色画素の配列構成を概略的に示す配列図である。
【図３８】同カラー表示装置を構成する表示エリア内の色画素の配列構成を簡略化して示す部分配列図である。
【図３９】同カラー表示装置を構成する表示エリア内の色画素の配列構成を簡略化して示す部分配列図である。
【図４０】同カラー表示装置を構成する表示エリア内の色画素の配列構成を簡略化して示す部分配列図である。
【図４１】同カラー表示装置を構成する表示エリア内の色画素の配列構成を簡略化して示す部分配列図である。
【図４２】同カラー表示装置を構成する表示エリア内の色画素の配列構成を簡略化して示す部分配列図である。
【図４３】この発明の第１０の実施形態である画素アレイの配置構成を部分的に示す構成図である。
【図４４】同画素アレイの別の配置構成を部分的に示す構成図である。
【図４５】この発明と関連する表示装置の構成を示す概略構成図である。
【図４６】この発明と関連する別の表示装置の構成を示す概略構成図である。
【図４７】この発明と関連する表示装置の問題点を説明するために供される図である。
【図４８】この発明と関連する表示装置の問題点を説明するために供される図である。
【図４９】この発明と関連するカラー表示装置の問題点を説明するために供される図である。
【発明を実施するための形態】
【００２７】
まず、この発明の実施形態の概要について説明する。
この発明の最良の実施形態では、非矩形の画素からなると共に、少なくとも３種類の導線（配線）が、各画素を囲む部位で、互いに交差する構成からなっている。
このように、非矩形の画素を用いた非矩形状の表示装置において、画素に対応する少なくとも３種類の導線群が互いに交差するときに、互いに交差しない構成に較べて、画素内を横切る任意の1つの導線の長さを短くでき、必要に応じて、横切る長さを最小に設計できる（図３５（ｂ））。
【００２８】
この点について、図３５及び図３６を参照して説明する。
図３５は、第１の導線７１と第２の導線７２とで囲まれた非矩形画素７０の領域を通過する態様に第３の導線７３ａ又は７３ｂが配線される構成を示す図であり、同図（ａ）は、第３の導線７３ａを第１の導線７１に対して平行に配線した例を示し、また、同図（ｂ）は、第３の導線７３ｂを第１及び第２の導線７１、７２に対して非平行に配線し、第３の導線７３ｂが第１及び第２の導線７１、７２の双方と交わると共に、第２の導線８２と直交する態様に配線した例を示す図である。
図３６は、第１の導線８１と第２の導線８２とで囲まれた矩形画素８０の領域を通過する態様に第３の導線８３ａ又は８３ｂが配線される構成を示す図であり、同図（ａ）は、第３の導線８３ａを第１の導線８１に対して平行に配線した例を示し、また、同図（ｂ）は、第３の導線８３ｂを第１及び第２の導線８１、８２に対して非平行に配線し、第３の導線８３ｂが第１及び第２の導線８１、８２の双方と交わると共に、第２の導線７２と直交する態様に配線した例を示す図である。図３５に示す非矩形画素７０の領域と図３６に示す矩形画素８０の領域とは、底辺及び高さ同一で、したがって、互いに同一の面積に設定されている。
【００２９】
上記配置例のうち、第３の導線が画素７０、８０を横切る距離が最も短くなる配置例は、図３５（ｂ）の配置例である。それゆえ、非矩形画素に対応する第１、第２及び第３の導線群が互いに交差する構成（図３５（ｂ））が、画素７０内を横切る第３の導線の長さを短くでき、必要に応じて、横切る長さを最小に設計でき、それゆえ、画像の明るさに影響を及ぼす画素の開口率を高く設定することができる。また、直角に近い状態で交差する程、交差部分の面積を小さくできるので、付随する寄生容量を軽減でき、導線の長さ及び交差部の面積に依存する信号の遅延も減少できる。
【００３０】
この発明の最良の実施形態では、画素が非矩形であるので、矩形画素に較べて、表示エリア外周において階段状の画素配置にはならず、実現したい外形に即した形状に画素を配置することができる。
この理由は、画素の形状が矩形でないため、互いに交わる３軸に沿って配置することができる（例えば、三角形画素）ためである。換言すれば、互いに交わる３軸に沿って配置される構成では、直角に交わる２軸に沿って配置される構成（例えば、矩形画素）に較べて、配置の方向自由度が高くなるためである。ここでいう方向自由度とは、並進性のみに基づいて全ての画素配置を考慮する場合、並進可能な方向を言う。
【００３１】
互いに交わる３軸の構成（例えば、三角形画素）では、独立な３軸方向での並進性が可能となる。３軸の並進性があり、かつ、回転対称でない２種類のサブ画素（例えば、頂点上向きの三角形のサブ画素と頂点下向きの逆三角形のサブ画素）を用いれば、一段と複雑な並進方向性を決定できるので、直角方向以外の方向の表示エリア外形も容易に実現できる上、表示したい外形をぎざぎざ感なく表示することもできる。
加えて、この発明の実施形態として、非矩形状の表示装置のうち、例えば、表示エリア内部に中空部分又は貫通孔部分を有する極めて異形の表示装置も容易に実現できるので、装置外観に対する意匠効果の発揚に寄与できる。
【実施形態１】
【００３２】
以下、図面を参照し、参考発明の実施形態をまじえて、この発明の実施形態について詳細に説明する。
図１は、この発明の第１の実施形態である非矩形状の表示装置の構成を概略的に示す正面図、図２は、同表示装置を構成する表示エリア内の画素及び各種配線パターンを概略的に示す正面図、図３は、同表示エリアの一部を拡大して模式的に示す拡大図、また、図４は、同表示エリアの外周部分を拡大して模式的に示す拡大図である。
この実施形態の表示装置１は、図１及び図２に示すように、装置外形が勾玉形状をなす非矩形状の表示装置に係り、勾玉形状の基板２と、この基板２の表面に、基板２と略同形（相似形）の、同じく勾玉形状に形成された表示エリア（画素アレイ）３と、表示エリア３の外周と基板２の外周との間の領域に分散配置された長尺状又は長尺曲線上の第１の周辺回路４、４、…、第２の周辺回路５、５、…、及び第３の周辺回路６とから概略構成されている。
【００３３】
上記表示エリア（画素アレイ）３は、例えば、頂点が上向きの三角形、頂点が下向きの逆三角形、平行四辺形等の形状をなす複数の非矩形画素７、７、…からなると共に、これらの非矩形画素７、７、…は、互いに交差する態様で基板２上に多層に配線された、複数の第１の導線８、８、…からなる第１の導線群と、複数の第２の導線９、９、…からなる第２の導線群と、複数の第３の導線１０、１０、…からなる第３の導線群とによって画成されている。
複数の非矩形画素７、７、…は、２次元的に配列されて勾玉形状の広がりをなし、画素毎に設けられたアクティブ素子や画素電極等が、対応する第１の導線８、８、…、第２の導線９、９、…、第３の導線１０、１０、…に接続されている。なお、図２では、簡単のため、第１、第２及び第３の導線８、９、１０、…の配線数を実際の表示装置より少なく描いている。
【００３４】
上記第１の周辺回路４は、第１の導線群に属する各第１の導線８、８、…を駆動する。この実施形態の勾玉形状の表示エリア構成では、例えば、基板２の外周部に設けられた３つの第１の周辺回路４、４、…により、表示エリア３に配線される全ての第１の導線８、８、…を駆動することができる。第２の周辺回路５は、第２の導線群に属する各第２の導線９、９、…を駆動する。この実施形態では、例えば、基板２の外周部に設けられた３つの第２の周辺回路５、５、…により、表示エリア３に配線される全ての第２の導線９、９、…を駆動することができる。第３の周辺回路６は、第３の導線群に属する各第３の導線１０、１０、…を駆動する。この実施形態では、例えば、基板２の外周部に設けられた１つの第３の周辺回路６により、表示エリア３に配線される全ての第３の導線１０、１０、…を駆動することができる。
【００３５】
ここで、第１、第２及び第３の導線群のうち、任意の1の導線群に属する各導線が行導線の役割を果たし、任意の他の導線群に属する各導線が列導線又は第１の列導線の役割を果たし、また、残りの導線群に属する各導線が、第２の列導線、あるいは、例えば蓄積容量線、共通電極電位を供給する導線群、又は任意の固定電位又は周期的に変化する任意の電位を供給する電源線や信号線等の役割を果たすように構成することができる（第１乃至第４の実施例参照）。
【００３６】
この実施形態では、任意の第１、第２及び第３の導線８、９、１０、…は、図２及び図３に示すように、１点にて互いに交差する態様で配列されていて、互いに隣接する３つの交差点は、第１、第２及び第３の導線８、９、１０、…によって画成される三角形の領域（画素７又は画素の半分）の頂点をなしている。これら３種類の導線８、９、１０、…で囲まれる三角形の領域が個々の非矩形の画素に相当し、非矩形の各画素は、図２では、全ての辺の長さが異なる三角形の形状として描かれているが、これに限定するものではなく、正三角形の形状に形成されても良く、二等辺三角形に形成されても良いし、概略三角形の形状（異形の三角形）に形成されても良い。なお、図３は、図２の表示エリアを部分的に拡大して示すものであるが、図３には、各画素は、便宜上、正三角形に近い二等辺三角形の形状として描かれている。また、３つの導線のうち、行導線の役割を果たす１の導線と列導線の役割を果たす他の導線とが交差する角度は、この実施形態では、図３に示すように、６５度で交差するように設定されているが、これに限定されるものではなく、交差角度は任意であり、必要に応じて決められる。
【００３７】
この実施形態によれば、図２に示すように、第１、第２及び第３の周辺回路４、５、６を、互いに干渉（取り合い）することなく容易に配置することができる。また、この実施形態では、三角形の繰り返し単位を基本としているので、従来の装置構成に較べれば、極めて容易に設計できる。
【００３８】
図４には、この実施形態の表示エリアの外周部分が拡大して示されている。なお、図４では、例えば、三角形の画素７と表示エリア３の外周を判り易くするために、一つの画素７を選び塗りつぶして示す一方、第１、第２及び第３の導線８、９、１０、…からなる各種導線群は図示していない。
非矩形の画素７、７、…から構成される、この実施形態の表示エリア３の外形１１ａは、図４から明らかなように、実現したい表示エリアの外径（外周曲線領域の形状）１２を完全には再現できていないものの、矩形の画素４７、４７、…を用いる従来の非矩形の表示エリア３の外形１１ｂ（図４７）と較べれば明らかなように、実現したい表示エリアの外形１２に一段と良好に追従できていることが判る。
すなわち、図４７の従来の矩形画素４７を用いる表示エリアでは、実現したい外形への追従性が悪く、大幅にぎざぎざの外形となってしまっている。
このように、従来の矩形画素４７、４７、…を用いる非矩形状の表示装置では、表示エリアの外形がぎざぎざ感を与え、非矩形の形状からかもし出される外観美を損ねるのに対して、この実施形態による非矩形の表示エリア７では、外形のぎざぎざ感が緩和されるので、非矩形の形状からかもし出される外観美を保持できる。
【００３９】
この実施形態によれば、非矩形の画素を用いるので、画素の配列は直角に交わる２軸に制限されずに、例えば、直角でない角度で交わる２軸に沿って配置することができるし（例えば、平行四辺形画素）、互いに交わる３軸に沿って配置することもできる（例えば、三角形画素）ので、図２に示すように、第１、第２及び第３の周辺回路４、５、６を、互いに干渉（取り合い）することなく容易に配置することができる。また、この実施形態では、三角形の繰り返し単位を基本としているので、従来の装置構成に較べれば、極めて容易に設計できる。
【００４０】
次に、図５乃至図７を参照して、この実施形態の表示装置の表示動作について説明する。実現したい表示エリアの外周形状と相関のある図形を表示するには、表示エリア３の外周の各点と、表示エリア３内の（複数の）任意の点とを結んだ線を一定の規則により略等距離に等分した点を互いに結んだ線で形成される等高線状の図形１３を表示する。すなわち、まず、表示エリア３内に、地図での山頂に相当する点を２点Ｐ１、Ｐ２を選択する（図５の白抜きの点）。次に、選んだ２点Ｐ１、Ｐ２に地図で言う標高に相当する数値を割り当てることにより、重みづけを与える。ここで、大きい数値が与えられた点は、より重みが高い。これらの２点Ｐ１、Ｐ２間を結ぶ線分は、地図での尾根（稜線）に相当する。例えば、この尾根に相当する線分Ｌとして、図５に示すように、外形に応じた曲線の一部が選ばれる。この尾根に相当する線分Ｌを、これら２点Ｐ１、Ｐ２間の線分に沿った距離で等分し、同時に２点Ｐ１、Ｐ２間の数値の差を等分したものと対比することで、尾根上の各点に数値を割り当てる。こうして得られた尾根上の各点と、表示エリア３の外周の各点を結ぶ線分を線分に沿った距離で等分し、同時に２点間の数値の差を等分したものと対比することで、表示エリア３全体に数値を割り当てる。次に、表示エリア３に割り当てられた数値を基にして、等数値線を作成することにより、表示エリア３内に表示したい図形１３（実現したい表示エリアの外周形状と相関のある等高線状の形状）が得られる。
【００４１】
図６は、表示エリア３に実際に表示される等高線状の図形を例示する図である。また、比較例として、図４８に、従来の矩形画素４７、４７、…を用いる非矩形状の表示エリアの外周形状と相関のある等高線状の図形５５を表示した例を示している。
図４８の比較例では、表示したい等高線状の図形５５に対し、実際に表示される等高線状の図形５６はかなり異なったものとなっていることが判る。すなわち、表示される等高線状の図形５６の外周が大きくぎざぎざになっていることが判る。これに対して、図６に示すこの実施形態による等高線状の図形表示では、実際に表示される等高線状の図形１４ａの外周のぎざぎざ感が、はるかに緩和されていることが判る。
【００４２】
図６の図形表示例では、画素７の面積に対する表示したい領域が占める面積の割合によって、表示する画素、表示しない画素を決定している。この結果、外周の平均的な勾配と逆向きになったような画素が存在しており、一部ぎざぎざ感が残る。このぎざぎざ感は、ソフト的な処理を施すことで、緩和できる。図７に、ソフト的な処理を施すことで、ぎざぎざ感がさらに緩和できた例を示す。ここで言うソフト的な処理とは、表示したい図形１３の外周の勾配に対し、実際に表示される画素がなす勾配が逆方向になる場合、その画素を表示にしない処理である。このようなソフト処理によれば、図７に示すように、図６の処理に較べて、さらに一層滑らかな疑似曲線図形１４ｂを表示できる。なお、図４８に示す比較例では、上記したと同様のソフト的な処理を実施できないため、図７に示す表示例は、従来技術による図４８のそれと較べれば、ぎざぎざ感が極めて少ない良好な画像表示を得ることができる。
【００４３】
なお、変形例として、尾根の線分Ｌをさらに複雑にすると、それに応じた意匠効果を実現できる。例えば、尾根の線分Ｌ上に割り当てる点を増加させ、このとき、必要に応じて、尾根の線分上に山頂に相当する点より数値が小さい点を割り当てる。例えば、上記した２点Ｐ1，Ｐ２の間に二つの山頂に相当する点より数値が小さい点Ｐ３（図５）を割り当てる。また、二つの山頂の値も異なる値とする。このとき、大きい山と小さい山を結ぶ尾根に相当する数値を尾根の線分上に割り当てることができる。このような手法を採用すれば、等高線状の図形を任意に調節することができるので、さらに、一層の意匠効果を実現することができる。
【００４４】
この実施形態の表示装置は、多様な機器に組み込まれて用いることができる。好適な機器の例として、携帯電話、ゲーム端末、ＭＰ３プレーヤ（MPEG-1 Audio Layer-3）等のオーディオプレーヤやビデオプレーヤ、これらを融合した機器、ペンダントやアクセサリに内蔵された機器等を挙げることができる（後述する他の実施形態において同様である）。
なお、必要に応じて、周辺回路を廃し、駆動信号を外部回路から供給する態様に構成することもできる。このように、周辺回路が存在しない配線構造であっても、この実施形態によれば、外部引出し用の電極端子を、基板の非矩形状をなす外周部に、整合性良く配列することができる。
【００４５】
次に、この発明の第１の実施形態である表示装置を構成する表示エリアの実施例について、詳細に説明する。
【実施例１】
【００４６】
図８は、この発明の第１の実施例である表示エリアの電気的構成を模式的部分的に示す構成図である。
この例の表示エリアは、図８に示すように、互いに所定の間隔を隔てて、かつ、第１の方向に沿って平行に配線された複数の行導線８ａ、８ａ、…からなる第１の導線群と、同じく互いに所定の間隔を隔てて、かつ、第２の方向に沿って平行に配線された複数の第１の列導線９ａ、９ａ、…からなる第２の導線群と、同じく互いに所定の間隔を隔てて、かつ、第３の方向に沿って平行に配線された複数の第２の列導線１０ａ、１０ａ、…からなる第３の導線群とが基板上に多層に配列されていて、行導線８ａ、及び第１又は第２の列導線９ａ、１０ａのそれぞれが、対応する各画素７ａ、7ｂ、…に配置されたＴＦＴ（薄膜トランジスタ）等のアクティブ素子１５ａ、１５ｂに接続する構成となっている。
【００４７】
この例において、同一行の各画素では、アクティブ素子１５ａが配置された図中頂点上向きの三角形をなす画素（以下、上向き三角形画素ともいう）７ａと、アクティブ素子１５ｂが配置された図中頂点下向きの三角形をなす画素（以下、下向き三角形画素ともいう）７ｂとが、交互に配列され、アクティブ素子１５ａが配置された三角形画素７ａは、行導線８ａと第１の列導線９ａとでアクセスされ、アクティブ素子１５ｂが配置された逆三角形画素７ｂは、行導線８ａと第２の列導線１０ａとでアクセスされる構成となっている。具体的には、アクティブ素子１５ａ、１５ｂには、第１の周辺回路４から行導線８ａを介して走査信号が入力され、第２又は第３の周辺回路５、６から第１又は第２の列導線９ａ、１０ａを介して、画像データが入力される。
【００４８】
この例の構成によれば、３方向の並進性に基づく画素配列を自由に駆動することができるので、第１又は第２の列導線９ａ、１０ａから画像データを入力することで、画面（表示エリア）全体に画像を表示することができる。
この実施形態によれば、図２に示すように、第１、第２及び第３の周辺回路４、５、６を、互いに干渉することなく容易に配置することができる。また、この実施形態では、三角形の繰り返し単位を基本としているので、従来の装置構成に較べれば、極めて容易に設計できる。さらにまた、図８に示すように、アクティブ素子１５ａ、１５ｂが、２画素単位に対して規則的に配置されているので、繰り返しの最小単位（この例では、正向き及び逆向きの三角形で対を成す２画素７ａ、７ｂを合わせた平行四辺形）に基づいて、各種形状の表示エリアを容易に設計できる。加えて、単一の繰り返し単位からなる配置構成は、モアレの軽減にも有効である。
【００４９】
なお、この例では、第１の導線群を行導線８、８、…の集まりとし、第２の導線群を第１の列導線９、９、…の集まりとし、第３の導線群を第２の列導線３、３、…の集まりとしたが、これに限るものではなく、第１の導線群を第１の列導線又は第２の列導線の集まりとし、第２の導線群を第２の列導線又は行導線の集まりとし、第３の導線群を行導線又は第１の列導線の集まりとするようにしても良い。
【実施例２】
【００５０】
図９は、この発明の第２の実施例である表示エリアの電気的構成を模式的部分的に示す構成図である。
この例の表示エリアは、図９に示すように、互いに所定の間隔を隔てて、かつ、第１の方向に沿って平行に配線された複数のゲート線（行導線）１６、１６、…からなる第１の導線群と、同じく互いに所定の間隔を隔てて、かつ、第２の方向に沿って平行に配線された複数のデータ線（列導線）１７、１７、…からなる第２の導線群と、同じく互いに所定の間隔を隔てて、かつ、第３の方向に沿って平行に配線された複数の蓄積容量線１８、１８、…からなる第３の導線群とが基板上に多層に配列されていて、ゲート線１６、データ線１７及び蓄積容量線１８のそれぞれが、対応する各画素（平行四辺変形の画素）７ｃに配置されたＴＦＴ等のアクティブ素子１５ｃに接続する構成となっている。この例では、画素単位が平行四辺形となり、画素面積は、画素単位が三角形（図８）の場合の約２倍の面積となっている。各画素７ｃは、対応する蓄積容量線１８によって分断されている。
【００５１】
この例において、平行四辺形の画素７ｃ毎に設けられたアクティブ素子１５ｃのゲート電極には、第１の周辺回路４からゲート線を介して走査信号（アドレス信号）が入力され、アクティブ素子１５ｃのデータ電極には、第２の周辺回路５からデータ線を介して、画像データ信号が入力される。また、蓄積容量線１８、１８、…の一端は、画素電極に接続され、その他端は、第３の周辺回路６に接続されている。
この例の構成によれば、２方向の並進性に基づく画素配列を自由に駆動することができるので、データ線から画像データを入力することで、画面（表示エリア）全体に画像を表示することができる。
【００５２】
この実施形態によれば、図２に示すように、第１、第２及び第３の周辺回路４、５、６を、互いに干渉することなく容易に配置することができる。また、この実施形態では、平行四辺形の繰り返し単位を基本としているので、従来の装置構成に較べれば、極めて容易に設計できる。つまり、この例の画素は２方向への並進性しか持たないが、従来の直角方向と異なる角度での並進性を有するため、実現したい外径に追従した画素配列が可能となるので、非矩形形状の表示装置としては、従来装置に比べると、高い意匠効果を得ることができる。
さらにまた、図９に示すように、アクティブ素子１５ｃが、画素単位に対して規則的に配置されているので、繰り返しの最小単位（この例では、平行四辺形）に基づいて、各種形状の表示エリアを容易に設計できる。加えて、単一の繰り返し単位からなる配置構成は、モアレの軽減にも有効である。
【００５３】
なお、この例では、第１の導線群をゲート線（行導線）１６、１６、…の集まりとし、第２の導線群をデータ線（列導線）１７、１７、…の集まりとし、第３の導線群を蓄積容量線１８、１８、…の集まりとしたが、これに限るものではなく、第１の導線群をデータ線（列導線）又は蓄積容量線の集まりとし、第２の導線群を蓄積容量線又はゲート線（行導線）の集まりとし、第３の導線群をゲート線（行導線）又はデータ線（列導線）の集まりとするようにしても良い。また、この例では、各画素が、対応する蓄積容量線１８によって分断される場合について述べたが、これに限定されず、対応するゲート線（行導線）１６又はデータ線（列導線）１７によって分断されるようにしても良い。
【００５４】
また、第３の導線群を、蓄積容量線に代えて、各画素に共通電極電位を供給する導線の集まりとすることができる。さらに、第３の導線群を、蓄積容量線に代えて、各画素に任意の固定電位又は周期的に変化する任意の電位を供給する電源線や信号線等の集まりとするとすることもできる。
【参考例１】
【００５５】
図１０は、参考発明の第１の実施例である表示エリア（画素アレイ）でのアクティブ素子の配置を概略示す図、図１１は、同表示エリアの回路構成を部分的に示す回路構成図、図１２は、同実施例の第１の駆動方法を説明するために用いられるタイミングチャート、また、図１３は、同実施例の第２の駆動方法を説明するために用いられるタイミングチャートである。
この例の表示エリアでは、図１０（図３）中、第１の導線がゲート線の役割を担い、また、第３の導線群がデータ線の役割を担うように構成されている。具体的には、図１０（図３）中、第１の導線の配線部分に２本のゲート線ＧＡ、ＧＢが並列に割当てられて配線され、第３の導線の配線部分にデータ線ＤＬが配線され、第２の導線の配線部分に蓄積容量線ＳＣが配線されている。つまり、２本のゲート線ＧＡ、ＧＢは、図１０（図３）では、便宜上、１本の第１の導線として示されている。この例では、各々ｎ本（ｎは２以上の自然数）のゲート線ＧＡ、ＧＢが設けられている。
【００５６】
図１０に示される上向き三角形画素７ｄと下向き三角形画素７ｅは、共に、図１１に示すように、ＴＦＴ等のアクティブ素子１５ｄと、蓄積容量１９と、実質的な画素として機能する電気光学物質２０とから概略構成されている。アクティブ素子１５ｄは、そのゲート電極がゲート線ＧＡ（又はＧＢ）に接続され、そのソース電極（又はドレイン電極）が、データ線ＤＬに接続され、さらに、そのドレイン電極（又はソース電極）が、蓄積容量１９の一端と電気光学物質２０の一端とに接続されている。蓄積容量１９の他端は蓄積容量線ＳＣに接続され、電気光学物質２０の他端は共通電極線ＣＯＭに接続されている。
【００５７】
なお、好適な電気光学物質２０としては、例えば、液晶や電気泳動物質等を挙げることができるのが、これに限定されない。
この実施形態では、ゲート線ＧＡ、ＧＢ、データ線ＤＬ、蓄積容量線ＳＣ、ＴＦＴ等のアクティブ素子１５ｄ、及び蓄積容量１９等が設けられたアクティブ素子側基板と、共通電極が設けられた対向基板との間に電界を生じさせることによって、液晶や電気泳動物質等の電気光学物質を動作させる方式が該当する。この種の好適な方式としては、例えば液晶を用いたツイステッド・ネマチック（ＴＮ）モード、マルチドメインヴァーティカルアライン（ＭＶＡ）モード、及びポリマーネットワーク液晶（ＰＮＬＣ）モード等を挙げることができ、さらには、電気泳動やコレステリック液晶を利用する電子ペーパにも適用できる。
【００５８】
上記構成において、図１１中の右上の画素（上向き三角形の画素）７ｄは、ゲート線ＧＡを流れるゲート信号で制御され、同図中の左下の画素（下向き三角形の画素）７ｅはゲート線ＧＢを流れるゲート信号で制御される。上向き三角形の画素７ｄと下向き三角形の画素７ｅとは、並列に設けられた２種類のゲート線ＧＡ、ＧＢを介して、フィールド毎に又は行毎に、時分割で駆動される。
【００５９】
次に、図１２及び図１３を参照して、この例の動作について説明する。
まず、図１２を参照して、この実施例の第１の駆動方法による動作について説明する。図１２において、Ａ１は、１本目のゲート線ＧＡに印加されるゲート信号を示し、Ａ２は、２本目のゲート線ＧＡに印加されるゲート信号を示し、…、Ａｎは、ｎ本目のゲート線ＧＡに印加されるゲート信号を示している。同様に、図１２において、Ｂ１は、１本目のゲート線ＧＢに印加されるゲート信号を示し、Ｂ２は、２本目のゲート線ＧＢに印加されるゲート信号を示し、…、Ｂｎは、ｎ本目のゲート線ＧＢに印加されるゲート信号を示している。はじめに、ゲート線ＧＡに対応するデータ信号Ｄがデータ線ＤＬ（ここでは、簡略化のため、全てのデータ線を総称している）に印加され、ｎ本のゲート線ＧＡにゲート信号Ａ１、Ａ２、…、Ａｎが順次印加されることによって、ゲート線ＧＡに対応する上向き三角形の画素７ｄが（行単位で）順次走査される。続いて、ゲート線ＧＢに対応するデータ信号Ｄがデータ線ＤＬに印加され、ｎ本のゲート線ＧＢにゲート信号Ｂ１、Ｂ２、…、Ｂｎが印加されることによって、ゲート線ＧＢに対応する下向き三角形の画素７ｅとが（行単位で）順次走査される。このような手順を繰り返すことによって、全画面を順次走査によって時々刻々と変化させ動画を表示することができる。当然ながら、同じデータ信号Ｄを書き続ければ、画像表示を維持でき、静止画を表示することもできる。
【００６０】
次に、図１３を参照して、この実施例の第２の駆動方法による動作について説明する。この第２の駆動方法では、同図に示すように、１本目のゲート線ＧＡにゲート信号Ａ１を与え、次に、１本目のゲート線ＧＢにゲート信号Ｂ１を与える。次いで、２本目のゲート線ＧＡにゲート信号Ａ２を与え、次に、２本目のゲート線ＧＢにゲート信号Ｂ２を与え、…、次いで、ｎ本目のゲート線ＧＡにゲート信号Ａｎを与え、次に、ｎ本目のゲート線ＧＢにゲート信号Ｂｎを与える、ことを繰り返す。このとき、データ線ＤＬの信号は、ゲート信号Ａ１に対応したデータ信号Ｄ、ゲート信号Ｂ１に対応したデータ信号Ｄ、ゲート信号Ａ２に対応したデータ信号Ｄ、ゲート信号Ｂ２に対応したデータ信号Ｄ、…、ゲート信号Ａｎに対応したデータ信号Ｄ、ゲート信号Ｂｎに対応したデータ信号Ｄが、順次印加されて、ゲート線ＧＡに対応する信号とゲート線ＧＢに対応する信号とを入れ替えながら走査する。このような手順を繰り返すことによって、全画面の表示を行う。
【００６１】
このように、この実施例の構成によれば、非矩形状の表示エリアを三角形の画素単位で構成するようにしたので、３方向の並進性を実現でき、このため、（２方向の並進性しか実現できない平行四辺形の画素単位から構成される第２の実施例に較べて）一段と意匠効果の高い非矩形状の表示装置を具現できる。
【参考例２】
【００６２】
図１４は、参考発明の第２の実施例である表示エリア（画素アレイ）の回路構成を部分的に示す回路構成図、また、図１５は、同実施例の駆動方法の説明に供されるタイミングチャートである。なお、この例の表示エリア（画素アレイ）でのアクティブ素子の配置構成は、図１０に示す配置構成（第３の実施例）と概略同様である。
この例の表示エリアでは、図３中、第１の導線がゲート線の役割を担い、また、第３の導線群がデータ線の役割を担うように構成されている。具体的には、図３中、第１の導線の配線部分に３本のゲート線ＧＡ、ＧＧ、ＧＢが並列に割当てられて配線され、第３の導線の配線部分にデータ線ＤＬが配線され、また、第２の導線の配線部分にメモリ容量線ＭＣが配線されている。つまり、３本のゲート線ＧＡ、ＧＧ、ＧＢは、図３では、１本の第１の導線として示されている。この例では、各々ｎ本（ｎは３以上の自然数）のゲート線ＧＡ、ＧＧ、ＧＢが設けられている。
【００６３】
図１４に示すように、上向き三角形画素７ｆ及び下向き三角形画素７ｇは、いずれも、ＴＦＴ等のアクティブ素子１５ｅと、メモリ容量２１と、ＴＦＴ等のアクティブ素子１５ｆと、実質的な画素として機能する電気光学物質２０とから概略構成されている。この実施例では、画素毎にメモリ用素子（メモリ容量２１及びアクティブ素子１５ｆ等）を備えている点で、上述の第３の実施例とは、構成を異にしている。
アクティブ素子１５ｅは、図１４に示すように、そのゲート電極がゲート線ＧＡ（又はＧＢ）に接続され、そのソース電極（又はドレイン電極）が、データ線ＤＬに接続され、さらに、そのドレイン電極（又はソース電極）が、メモリ容量２１の一端とアクティブ素子１５ｆのソース電極（又はドレイン電極）とに接続されている。アクティブ素子１５ｆは、そのゲート電極がゲート線ＧＧに接続され、そのソース電極（又はドレイン電極）がアクティブ素子１５ｅに接続され、さらに、そのドレイン電極（又はソース電極）が電気光学物質２０の一端とにも接続されている。メモリ容量２１の他端はメモリ容量線ＭＣに接続され、電気光学物質２０の他端は（対向電極側の）共通電極線ＣＯＭに接続されている。なお、電気光学物質２０の部位に電気光学物質２０に加えて(他端が蓄積容量線ＳＣに接続される)蓄積容量１９を接続するようにしても良い。この場合、メモリ容量線ＭＣと蓄積容量線ＳＣとは、一部又は全部を共通線としても良い。
【００６４】
上記構成において、図１４中、右上の画素（上向き三角形画素）７ｆのメモリ容量２１はゲート線ＧＡを流れるゲート信号で制御され、左下の画素（下向き三角形画素）７ｇのメモリ容量２１はゲート線ＧＢを流れるゲート信号で制御される。また、各メモリ容量２１と電気光学物質２０との接続は、ゲート線ＧＧを流れるゲート信号で制御される。
【００６５】
次に、図１５を参照して、この例の動作について説明する。
図１５において、Ａ１は、１本目のゲート線ＧＡに印加されるゲート信号を示し、Ａ２は、２本目のゲート線ＧＡに印加されるゲート信号を示し、…、Ａｎは、ｎ本目のゲート線ＧＡに印加されるゲート信号を示している。同様に、図１５において、Ｂ１は、１本目のゲート線ＧＢに印加されるゲート信号を示し、Ｂ２は、２本目のゲート線ＧＢに印加されるゲート信号を示し、…、Ｂｎは、ｎ本目のゲート線ＧＢに印加されるゲート信号を示している。
【００６６】
また、ゲート線ＧＧに関しては、簡略化のために全てのゲート線ＧＧを総称している。はじめに、ゲート線ＧＡに対応するデータ信号Ｄがデータ線ＤＬ（ここでは、簡略化のため、全てのデータ線を総称している）に印加され、ｎ本のゲート線ＧＡにゲート信号Ａ１、Ａ２、…、Ａｎが順次印加されることによって、ゲート線ＧＡに対応する画素（上向き三角形画素）７ｆが（行単位で）順次走査される。続いて、ゲート線ＧＢに対応するデータ信号Ｄがデータ線ＤＬに印加され、ｎ本のゲート線ＧＢにゲート信号Ｂ１、Ｂ２、…、Ｂｎが印加されることによって、ゲート線ＧＢに対応する画素（下向き三角形画素）７ｇが（行単位で）順次走査される。このような手順により、各メモリ容量２１にデータ信号Ｄに相当する電圧が記憶される。次いで、全てのゲート線ＧＧに信号Ｇを一斉に印加すると、アクティブ素子１５ｆがオンとされて、各メモリ容量２１に記憶されたデータ信号Ｄが、電気光学物質２０に印加される。
【００６７】
このように、この例では、画面全体の表示の切り替えは一斉に行われるため、第３の実施例の駆動方法（図１２及び図１３）を線順次走査と呼ぶ場合、図１５の駆動方法は面順次駆動方法と呼ぶことができる。なお、図１５に示す駆動方法で採用されるゲート線ＧＡとゲート線ＧＢ及びデータ線ＤＬへの信号の印加方法は、第３の実施例における第１の駆動方法（図１２）と同様であるが、これに代えて、第３の実施例における第２の駆動方法（図１３）を採用することもできる。
また、図１６に示すように、ゲート線ＧＡに対応する画像データＤを書き込んだ後に、ゲート線ＧＧに信号Ｇを入力し、ゲート線ＧＢに対応する画像データＤを書き込んだ後に、ゲート線ＧＧに信号Ｇを入力するようにしても良い。このように駆動すれば、メモリ容量２１に記憶されたデータが各画素７f、７ｇに２回書き込まれるようになるため、電気光学物質２０の動作が一段と安定すると共に、表示周波数が倍となるため、表示が一段と鮮明となる。
【００６８】
このように、この実施例の構成によっても、非矩形状の表示エリアを三角形の画素単位で構成するようにしたので、３方向の並進性を実現でき、第３の実施例で述べたと略同様の効果を得ることができる。加えて、この例の構成によれば、鮮明な画像表示を得ることができる。例えば、コントラストが向上し、動画表示が一段と良好となる。
【参考例３】
【００６９】
図１７は、参考発明の第３の実施例である表示エリア（画素アレイ）の回路構成を部分的に示す回路構成図、また、図１８は、同実施例の駆動方法の説明に供されるタイミングチャートである。
この例の表示エリアでは、図３中、第１の導線の配線部分に２本のゲート線ＧＡ、ＧＢが並列に配線され、第３の導線の配線部分にデータ線ＤＬが配線され、また、第２の導線の配線部分にメモリ容量線ＭＣが配線されている。この実施例では、図１７に示すように、上向き三角形画素７ｈと下向き三角形画素７ｉは、いずれも、ＴＦＴ等のアクティブ素子１５ｅと、メモリ容量２１と、ＴＦＴ等のアクティブ素子１５ｆと電気光学物質２０とから概略構成されている。このように、この実施例では、画素毎にメモリ用素子を備えている点で、上述の第４の実施例と構成を共通するが、３本のゲート線ＧＡ、ＧＧ、ＧＢのうち、ゲート線ＧＧを廃している点で、第４の実施例とは、接続構成を異にしている。
【００７０】
すなわち、図１７において、図中の右上の画素（上向き三角形画素７ｈ）では、アクティブ素子１５ｅのゲート電極がゲート線ＧＢに接続され、アクティブ素子１５ｆのゲート電極がゲート線ＧＡに接続されている。一方、図中の左下の画素（下向き三角形画素７ｉ）では、アクティブ素子１５ｅのゲート電極がゲート線ＧＡに接続され、アクティブ素子１５ｆのゲート電極がゲート線ＧＢに接続されている。
【００７１】
上記構成において、図１７中、右上の画素（上向き三角形画素７ｈ）のメモリ容量２１はゲート線ＧＢを流れるゲート信号で制御され、また、メモリ容量２１と電気光学物質２０との接続は、ゲート線ＧＡを流れるゲート信号で制御される。また、左下の画素（下向き三角形画素７ｉ）のメモリ容量２１はゲート線ＧＡを流れるゲート信号で制御され、また、メモリ容量２１と電気光学物質２０との接続は、ゲート線ＧＢを流れるゲート信号で制御される。
【００７２】
次に、図１８を参照して、この例の動作について説明する。
まず、右上の画素（上向き三角形画素７ｈ）に着目すると、図１８に示すように、ゲート線ＧＡにゲート信号ＡＧ１、ＡＧ２、…ＡＧｎが順次印加されると、アクティブ素子１５ｆのゲート電極がオンとなり、メモリ容量２１に記憶されたデータ信号Ｄが電気光学物質２０に印加される。次に、ゲート線ＧＢにゲート信号ＢＧ１、ＢＧ２、…ＢＧｎが順次印加されると、アクティブ素子１５ｅがオンとなり、メモリ容量２１にデータ信号Ｄが記憶される。次に、左下の画素（下向き三角形画素７ｉ）に着目すると、ゲート線ＧＡにゲート信号ＡＧ１、ＡＧ２、…ＡＧｎが順次印加されると、アクティブ素子１５ｅのゲート電極がオンとなり、メモリ容量２１にデータ信号Ｄが記憶される。また、ゲート線ＧＢにゲート信号ＢＧ１、ＢＧ２、…ＢＧｎが順次印加されると、アクティブ素子１５ｆのゲート電極がオンとなり、メモリ容量２１に記憶されたデータ信号Ｄが電気光学物質２０に印加される。すなわち、どちらの画素も、一方のゲート信号Ｄでメモリ容量２１にデータ信号Ｄを記憶し、他方のゲート信号Ｄで電気光学物質２０にデータ信号Ｄが印加される。
【００７３】
このように、この例の構成によっても、非矩形状の表示エリアを三角形の画素単位で構成するようにしたので、３方向の並進性を実現でき、第３の実施例で述べたと略同様の効果を得ることができる。加えて、この例の構成によれば、第４の実施例の構成（図１４）に較べて、ゲート線を削減できる。
【参考例４】
【００７４】
図１９は、参考発明の第４の実施例である表示エリア（画素アレイ）の回路構成を部分的に示す回路構成図、また、図２０は、同実施例の駆動方法の説明に供されるタイミングチャートである。
この例の表示エリアでは、図３中、第１の導線がゲート線Ｇの役割を担い、第３の導線がデータ線ＤＬの役割を担い、第２の導線が、蓄積容量線ＳＣ及び共通電極線ＣＯＭの役割を担っている。蓄積容量線ＳＣ及び共通電極線ＣＯＭは、異なる２本の線として配線されても良く、単一の共通線として配線されても良いことは、上記した各実施例で述べたと同様である。
【００７５】
この実施例では、図１９中の右上の画素（上向き三角形画素７ｊ）は、第１の極性（この例では、Ｐチャネル型）のアクティブ素子１５ｇと、蓄積容量１９と、電気光学物質２０とから概略構成されている。また、図１９中の左下の画素（下向き三角形画素７ｋ）は、第２の極性（この例では、Ｎチャネル型）のアクティブ素子１５ｈと、蓄積容量１９と、電気光学物質２０とから概略構成されている。なお、上記構成に代えて、右上の画素（上向き三角形画素７ｊ）が、第２の極性のアクティブ素子から構成され、左下の画素（下向き三角形画素７ｋ）が、第１の極性のアクティブ素子から構成されるようにしても良いことは勿論である。
図１９において、右上の画素（上向き三角形画素７ｊ）では、第１の極性のアクティブ素子１５ｇが、ゲート線Ｇと、データ線ＤＬと、蓄積容量１９と、電気光学物質２０とに接続されている。左下の画素（下向き三角形画素７ｋ）では、第２の極性のアクティブ素子１５ｈが、ゲート線Ｇと、データ線ＤＬと、蓄積容量１９と、電気光学物質２０とに接続されている。
【００７６】
次に、図２０を参照して、この例の動作について説明する。
図２０において、Ｇ１は、１本目のゲート線Ｇに印加されるゲート信号を示し、Ｇ２は、２本目のゲート線Ｇに印加されるゲート信号を示し、…、Ｇｎは、ｎ本目のゲート線Ｇに印加されるゲート信号を示している。
この例では、各ゲート線Ｇ上には、ゲート線Ｇの基準電位よりも高い「正」のパルス信号（ゲート信号）と、ゲート線Ｇの基準電位よりも低い「負」のパルス信号（ゲート信号）とが基準電位を挟んで交互に（フィールド周期で）印加される構成となっている。また、データ線ＤＬ上のデータ信号Ｄも、パルス信号（ゲート信号）の極性に応じて、信号の極性が変化するように設定されている。
上記構成において、あるフィールド周期で、ゲート線Ｇに「正」のパルス信号が印加されると、第２の極性のアクティブ素子１５ｈがオンとなり、データ線ＤＬのデータ信号Ｄが左下の画素（下向き三角形画素７ｋ）の電気光学物質２０に印加される。次のフィールド周期で、ゲート線に「負」のパルス信号が印加されると、第１の極性のアクティブ素子１５ｇがオンとなり、データ線ＤＬのデータ信号Ｄが右上の画素（上向き三角形画素７ｊ）の電気光学物質２０に印加される。
【００７７】
このように、この例の構成によれば、一つのゲート線Ｇに極性の異なるゲート信号を印加することで、表示エリア全体を駆動できるので、ゲート線の配線数を削減することができる。
【実施例３】
【００７８】
図２１は、この発明の第３の実施例である非矩形状の表示装置の構成を概略的に示す正面図である。
この例の表示装置１は、図１の表示装置と同一構成であり、外部装置に接続するための接続配線２２が図２１中の右下に設けられている。
ここで、各種導線群を駆動するための周辺回路に必要な機能を具備させるようにすれば、接続配線２２に必要な端子数を削減できる。端子数を削減できれば、図２１に示すように、表示装置１の外形と表示エリア３の輪郭との相似性が損なわれないので、装置の美観を維持できる。
【変形例１】
【００７９】
図２２は、この発明の第１の実施形態の変形例である表示エリア（画素アレイ）の一部を拡大して模式的に示す拡大図である。
この例の表示エリアが、図３に示す表示エリアと相違するところは、図３の表示エリアでは、任意の第１、第２及び第３の導線８、９、１０、…が１点で交差するのに対し、この例では、１点で交差しない点である。
すなわち、この例では、図２２に示すように、第１の導線８ｂと第２の導線９ｂとの交差点、第２の導線９ｂと第３の導線１０ｂとの交差点、第３の導線１０ｂと第１の導線８ｂとの交差点が、互いに重ならないように構成されている。
この例に構成によれば、各画素の開口エリアは若干小さくなるものの、３つの導線が１点で交わる構成に較べて、交差点領域での多層配線膜の段差を緩和できる。このため、段差部に生じ易い配線不良（断線やショート）を軽減できる。
【参考例５】
【００８０】
次に、図面を参照して、参考発明の第１の実施形態について説明する。
図２３は、参考発明の第１の実施形態である非矩形状の表示装置を構成する表示エリア内の各種配線パターンの一部を拡大して模式的に示す拡大図である。
この実施形態の表示エリアが、上記した第１の実施形態のそれと大きく異なるところは、三角形状の画素に代えて、六角形状の画素を用いて構成するようにした点である。
【００８１】
この例の表示エリア（画素アレイ）は、図２３に示すように、図中、左右方向に複数配線されたジグザグ状の第１の導線８ｃ、８ｃ、…からなる第１の導線群と、上下方向に複数配線されたジグザグ状の第２の導線９ｃ、９ｃ、…からなる第２の導線群と、図中斜め方向（左上から右下の方向）に略直線状に配線された複数の第３の導線１０ｃ、１０ｃ、…からなる第３の導線群とが、基板上に多層に配列されていて、第１、第２及び第３の導線８ｃ、９ｃ、１０ｃ、…のそれぞれが、対応する各画素（アクティブ素子や画素電極等）に接続する構成となっている。
【００８２】
ここで、上記第１の導線８ｃ、８ｃ、…は、六角形を構成する６辺のうちの３辺に対応する態様で、屈曲ジグザグ状に配線され、第２の導線９ｃ、９ｃ、…は、六角形を構成する６辺のうちの２辺に対応する態様で、屈曲ジグザグ状に配線されている。このように配線することで、隣接する２本の第１の導線８ｃ、８ｃと、隣接する２本の第２の導線９ｃ、９ｃとで、六角形の画素が画成されている。この実施形態では、第１の導線８ｃと、第２の導線９ｃと、第３の導線１０ｃとが、画素毎に、換言すれば、画素を画成する六角形の外周に相当する部位で交差する構成となっている。
【００８３】
なお、図２３では、第３の導線１０ｃ、１０ｃ、…が、図中、右上がりの方向に略直線状に延びる配線構造が示されているが、これに代えて、図２４に示すように、第３の導線１０ｄ、１０ｄ、…が左上がりの方向に略直線状に延びる態様の配線構造でも良い。また、第３の導線１０ｃ（１０ｄ）、１０ｃ（１０ｄ）、…の傾斜角度は任意である。さらにまた、図２５に示すように、第３の導線１０ｅ、１０ｅ、…六角形の画素の外周形状に追従する態様で、屈曲ジグザグ状に斜め方向に延びる配線構造でも良い。
【００８４】
２種類の導線（第１及び第２の導線）のみからなる六角形画素では、繰り返し単位を伸縮自在に設計できる、自由な方向が（大局的に見て、上下方向と左右方向との）２方向しかないので、非矩形の表示エリアの外形の美観向上が制限されると共に、周辺回路を良好に配置できない、という問題がある。しかしながら、この第２の実施形態によれば、上下方向と、左右方向の繰り返しに加えて、斜め方向の繰り返しが加えられるので（その分、自由な方向が増えるため）、繰り返し単位と非矩形の表示エリアの外形との整合性の改善を図ることができる。それゆえ、第３の配線を付設しても、周辺回路を良好に配置できる。この結果、表示エリア及び表示装置の外観美の向上を図ることができる。
【実施形態２】
【００８５】
次に、図面を参照して、この発明の第２の実施形態について説明する。
図２６は、この発明の第２の実施形態である非矩形状の表示装置を構成する表示エリア内の各種配線パターンの一部を拡大して模式的に示す拡大図である。
この実施形態の表示エリアは、三角形状の画素から構成される点では、上記した第１の実施形態のそれと略同様であるが、配線層間をコンタクトで結ぶ立体迂回交差構造が採用されている点で、第１の実施形態と相違している。
【００８６】
この実施形態では、表示エリア（画素アレイ）は、図示せぬ中間絶縁膜と、この中間絶縁膜を介して積層された、図示せぬ第１及び第２の配線層とからなる多層配線構造体として構成され、第１の配線層には、第１の導線８ｆの全部と、第２の導線９ｆの主要部（非交差領域）とが形成されていて、第２の配線層には、第３の導線１０ｆの全部と、第２の導線９ｆの非主要部（交差領域Ｔ）とが形成されている。また、層間絶縁膜には、第１の配線層に形成された第２の導線群の主要部（非交差領域）と、第２の配線層に形成された第２の導線群の非主要部（交差領域Ｔ）とを接続するためのコンタクトＨ１、Ｈ２が設けられている。コンタクトＨ１、Ｈ２は、第１の導線８ｆと第３の導線１０ｆとの交差点の近傍に設ければ充分である。なお、この例では、第２の導線９ｆを迂回交差させるようにしたが、これに限らず、第１又は第３の導線８ｆ、１０ｆを迂回交差させるようにしても良いことは勿論である。
【００８７】
第１の導線群に属する第１の導線８ｆは、図中、左右方向に沿って配線されていて、第２の導線群に属する第２の導線９ｆは、主要部（非交差領域）が、図中、左上がりの方向に沿って配線されている。第３の導線群に属する第３の導線１０ｆは、図中、右上がりの方向に沿って配線されている。なお、第２の導線９ｆの非主要部（交差領域Ｔ）は、第２の配線層内に、第１の導線８ｆを跨ぐのに充分な短い寸法分だけ、同一層内の第３の導線１０ｆに接触しない方向に設けられている。第２の導線９ｆの非主要部（交差領域Ｔ）の配線の寸法、形状及び向き等は、製造プロセスや設計の条件等に鑑みて、任意に決定される。
このように、この実施形態では、第１の導線８ｆと第２の導線９ｆとが、同一配線層内で交差する領域では、衝突を回避するために、第２の導線９ｆが、コンタクトＨ１を経由して、第２の配線層に打ち返られ、交差領域を迂回して通過した後は、再び、コンタクトＨ２を経由して、本来の第１の配線層に打ち返られる構成となっている。
【００８８】
第１の実施形態の構成では、互いに交差する各種導線を配線するためには、少なくとも、３層構造の多層配線膜が必要であるが、この実施形態の構成によれば、２層構造で済むので、例えば、配線層数や配線材料の数を削減できる。
【実施形態３】
【００８９】
次に、この発明の第３の実施形態について説明する。
この実施形態の表示装置では、非矩形の画素を用いる点で、上記した各実施形態のそれと共通するが、共通電極（したがって、共通電極線）を対向基板上ではなく、アクティブ素子側基板上に形成するようにした点で、上記した各実施形態と相違している。この形態の表示装置としては、例えば、基板表面と平行な方向の電界で動作させるイン・プレーン・スイッチングモード（横型電界駆動）の液晶表示装置（ＩＰＳ液晶表示装置）等を挙げることができる。
【００９０】
図２７は、この発明の第３の実施形態であるＩＰＳ液晶表示装置の表示エリアを構成する画素まわりの配線を示す配線図である。この形態の表示エリアでは、上向き三角形画素７ｍと下向き三角形画素７ｎとの２種類の画素が配置されていて、同図に示すように、上向き三角形画素７ｍと下向き三角形画素７ｎとは、互いに極性の異なるアクティブ素子１５ｉ、１５ｊによって駆動される構成となっている。ここで、アクティブ素子１５ｉ、１５ｊは、図１９に準じた配置構成となっている。
すなわち、上向き三角形画素７ｍは、第１の極性（この形態では、Ｐチャネル型）のアクティブ素子１５ｉによって駆動され、また、下向き三角形画素７ｎは、第２の極性（この形態では、Ｎチャネル型）のアクティブ素子１５ｊによって駆動される構成となっている。
【００９１】
この例の表示エリアでは、上向き三角形画素７ｍと下向き三角形画素７ｎは、共に、ゲート線ＧＥ（第１の導線）と共通電極線Ｃ（第２の導線）とデータ線ＤＬ（第３の導線）とで、三角形の形状に囲まれている。画素内では、共通電極線Ｃが枝状に分岐されてくし型の共通電極ＣＢが形成されて、同様にくし型の画素電極ＰＢと噛合対向配置されている。このような構成において、データ線ＤＬ上のデータ信号は、ゲート線ＧＥ上の（図２０のタイムチャートに準ずる）信号に応じてアクティブ素子１５ｉ、１５ｊを介して画素内の画素電極に印加される。各共通電極線Ｃには、同電位が与えられる。画素電極ＰＢと共通電極ＤＢとの間に電界が生じ、液晶分子（電気光学物質）を横方向電界により動作させることで、画像表示を実現させる。
このように、この実施形態によっても、第１の実施形態において上記したと略同様の効果を得ることができる。
【００９２】
図２７は、各共通電極線Ｃに同電位が与えられる場合を示しているが、これに代えて、図２８及び図２９に示すように、互いに異なる電位が与えられる第１の共通電極線Ｃ１と第２の共通電極線Ｃ２とを交互に配線するように構成することもできる。このような共通電極線の配置構成では、例えば、アクティブ素子１５ｋ、１５ｍの極性に応じて、異なる共通電極電位を印加することができる。すなわち、図２９に示すように、共通電極線Ｃ1が関与する画素のアクティブ素子１５ｋは第１の極性Ｐ、共通電極線Ｃ２が関与する画素のアクティブ素子１５ｍは第２の極性Ｎとなる。それゆえ、アクティブ素子の極性に対応した共通電極電位を各画素７ｐ、７ｑに供給することができる。
【００９３】
この実施形態の表示装置は、第１、第２及び第３の導線群の全てが、アクティブ素子側基板上に形成されるので、対向基板を本質的に必要としない表示装置に適用でき、例えば、非矩形の有機ＥＬ表示装置に適用して好適である。
上述の説明では、ＩＰＳ液晶表示装置を例としたが、同様に、第１、第２及び第３の導線群の全てが、アクティブ素子側基板上に形成される他の液晶表示装置に適用することもできる。例えば、フリンジ・フィールド・スイッチング（ＦＦＳ）モードを用いた液晶表示装置にも好適に適用できる。ＩＰＳモードでは、通常、共通電極ＣＢと画素電極ＰＢが断面構造で略同じ高さとなる層に形成されるため、例えば、共通電極線Ｃを共通電極ＣＢの間にコンタクトを設け、高さを調整することが必要となる。多くの場合は、このコンタクト構造をデータ線ＤＬと画素電極ＰＢとの間にアクティブ素子１５ｉ等を介して設け、コンタクト構造を増加させないようにしている。一方、ＦＦＳモードでは、共通電極ＣＢと画素電極ＰＢとが異なる層に形成される。このため、例えば、共通電極ＰＢが断面方向で下方に存在し、コンタクト構造を意識することなく、この発明を実施できる。
【実施形態４】
【００９４】
図３０は、この発明の第４の実施形態である非矩形状の表示装置の構成を概略的に示す正面図である。この実施形態の表示装置１ａ及び表示エリア３ａの外形は、勾玉の形状に形成されている点で、上記した第１の実施形態（図２）のそれらと同様であるが、勾玉状の表示エリア３ａ内に中空孔部２３が設けられている点で、第１の実施形態とは構成が異なっている。
【００９５】
この実施形態では、中空孔部２３の存在によって途切れる導線が存在する。そこで、各種導線群の駆動を完全なものとするために、この実施形態では、基板２ａ上の外周領域のみならず、内周領域（中空孔部２３の周辺領域）にも、周辺回路が設けられている。すなわち、外周領域の第１の周辺回路（第１の外周回路４ａ）と内周領域の第１の周辺回路（第１の内周回路４ｂ）とで、表示エリア３ａ内の全ての第１の導線が接続され、外周領域の第２の周辺回路（第２の外周回路５ａ）と内周領域の第２の周辺回路（第２の内周回路５ｂ）とで、表示エリア３ａ内の全ての第２の導線が接続され、さらに、外周領域の第３の周辺回路（第３の外周回路６ａ）と内周領域の第３の周辺回路（第３の内周回路６ｂ）とで、表示エリア３ａ内の全ての第３の導線が接続される構成となっている。外周回路４ａ、５ａ、６ａと内周回路４ｂ、５ｂ、６ｂとは、これらを接続する図示せぬ接続用配線を介して、信号の連続性が保たれるようになっている。
【００９６】
この実施形態によれば、表示エリア３ａ内に中空孔部２３を設けることで、意外性や突飛性や審美性のある意匠性表示装置を得ることができる。また、技術的にも多様な用途に適用できる。加えて、図３１に示すように、勾玉形状の表示装置１ａの中空孔部２３に、紐２４を通して使用することもできる。
なお、中空孔部２３の形状は、真円、楕円、三角形、矩形、多角形は勿論のこと、その他の様々の形状（ジョルダン形状）、例えば、地図模様等でも良い。中空部の個数は、単数に限らず、複数個、すなわち、ｎ重連結ジョルダン領域（ｎは自然数）を設けるようにしても良い。表示エリアに対して、中空孔部の方が大きくて、全体として、環状の表示装置を得ることもできる。また、中空孔部に代えて、単に、非表示エリアを設けるようしても、上述したと略同様の効果を得ることができる。
【００９７】
なお、非矩形の非表示領域を内部に有する、この種の表示装置にあっては、表示エリアの外周形状は、矩形であっても良い。
【実施形態５】
【００９８】
図３２は、この発明の第５の実施形態である非矩形状の表示装置の構成を概略的に示す正面図である。この実施形態の表示装置１ｂでは、第４の実施形態（図３０）の表示装置の中空孔部２３の近傍（非表示領域）に外部装置と配線を接続するための接続部２５が付加されている。
このように、この実施形態によれば、中空孔部２３に紐２４（図３１）を通し、紐２４内に信号線を通し、中空孔部２３の近傍に設けられた接続部２５で表示装置１ｂと接続することができ、このような構成では、接続部２５や信号線が目立たない、あるいは、外見上、接続部２５の存在を認識できないので、意匠効果の高い、非矩形の表示装置１ｂを実現できる。
【実施形態６】
【００９９】
この発明の第６の実施形態である表示装置（不図示）は、上記した第５の実施形態の表示装置に付設される外部装置と有線接続するための接続部２５（図３２）に代えて、無線によって信号を伝達する構成となっている。
この実施形態では、例えば、図３２に示す接続部２５の部位に、接続部２５に代えて、外部装置と無線により信号伝達を行う信号伝達部や電力を無線で給電するための給電部を設けることができる。このようにすれば、紐２４（図３１）との接続配線を考慮する必要がなく、一段と設計自由度が向上するので、装置外形と表示エリア外形との相似性が一段と高い表示装置を得ることができる。例えば、ペンダントトップが移動可能なペンダント状の表示装置等、意匠性の高い表示装置を具現できる。
なお、この形態の表示装置では、必要に応じて、アンテナ部を表示装置の裏面に設置することで、装置の小型化を達成できる。
【実施形態７】
【０１００】
図３３は、この発明の第７の実施形態である、非矩形状の表示装置が組み込まれた装飾型の機器の外観を示す斜視図であり、機器の蓋部が開いて、内部の表示装置を見得る状態が示されている。この機器２６は、図３３に示すように、容器本体２７も蓋部２８も、ハート型に模されており、容器本体２７の底面には、ハート型の表示装置２９が組み付けられていて、蓋部２８を開けると、表示装置２９が現われる構成となっている。
このように、この発明の表示装置２９を、装飾置物や、女性向きの装飾容器（例えば、化粧用のコンパクトやアクセサリボックス等）、装身具（例えば、ペンダントの先につけるペンダントトップ等）等の装飾型の機器に適用すれば、これらの機器の機能及び美観の向上を図ることができる。
なお、機器本体側に代えて、機器の蓋部側に、ハート型の表示装置を備えるようにしても良く、機器本体側と蓋部側との両方にハート型の表示装置を備えるようにし、映像を表示していないときが、化粧鏡として機能する表示装置を組み込むようにすれば、例えば、化粧用コンパクトの機能及び美観の向上を図ることができる。さらに、この種の機器を無線信号伝達、無線給電方式（第６の実施形態）によって、駆動するようにすれば、機能設計及び意匠の自由度を一段と向上させることができる。
【実施形態８】
【０１０１】
図３４は、この発明の第８の実施形態である、非矩形状の表示装置が組み込まれた装飾型の機器の外観を示す斜視図であり、同図（ａ）は、機器を広げた状態を示し、また、同図（ｂ）は、機器を立体的に折り曲げる状態が示されている。
この機器３０には、例えば、同図に示すように、ハート型の表示装置３１ａ、３１ｂ、３１ｃ、３２ｄが４つ組み込まれている。この装飾型の機器を広げると、同図（ａ）に示すように、「四つ葉のクローバ」が見える状態になる。４つのハート型の表示装置３１ａ、３１ｂ、３１ｃ、３２ｄのそれぞれが、あたかも、「四つ葉のクローバ」の個々の葉を構成する。４つのハート型の表示装置３１ａ、３１ｂ、３１ｃ、３２ｄに別々の画像を表示しても良いし、一つの画像を４つに分割して各表示装置３１ａ、３１ｂ、３１ｃ、３２ｄで表示しても良い。
この機器において、同図（ａ）の中心から点線又は破線で示された３つの箇所は、左右又は上下に隣接するハート型の表示装置（３１ｄと３１ａ、３１ａと３１ｂ、３１ｂと３１ｃ）を連結する連結領域であり、フレキシブル基板等を用いて折り曲げ自在に構成されている。なお、図中下部の実線で示された箇所は、切れ目であり、左右のハート型の表示装置（３１ｃと３１ｄ）は互いに接続されていない。
【０１０２】
上記構成において、同図（ａ）の点線部分を中心に、図中上側の表示装置を後ろ向きに、山折り状に折ることができる。また、同図（ａ）の破線部分を中心に、図中左右の表示装置の表面同士が重なる方向に、谷折り状に折ることができる。全てを折り曲げると、この機器はクローバ状からハート型に変化する。ハート型になると、表と裏の２面に４つの表示装置３１ａ、３１ｂ、３１ｃ、３２ｄのうち２つの表示装置が見える状態となる。このハート型の状態でペンダントトップ等を形成すると、必要に応じて、表示装置をクローバ状や、立体的な中間状態に変化させることができるので、極めて高い意匠効果を奏することができる。
さらに、この種の機器を無線信号伝達、無線給電方式（第６の実施形態）によって、駆動するようにすれば、有線接続に配慮する必要がなくなるので、機能設計及び意匠の自由度を一段と向上させることができる。
【実施形態９】
【０１０３】
次に、この発明の第９の実施形態について説明する。
図３７は、この発明の第９の実施形態である非矩形状のカラー表示装置を構成する表示エリア内の色画素の配列構成を概略的に示す配列図、また、図３８乃至図４２は、幾通りかの色画素の配列構成を簡略化して示す部分配列図である。
この実施形態のカラー画素アレイでは、第１乃至第８の実施形態で述べた複数の非矩形画素のそれぞれが、カラー表示を構成する所定の複数色（例えば、赤、緑、青）のうち、何れかの色の色画素をなすと共に、複数色の色画素の組合せによりカラー表示用の非矩形の単位画素が形成されている。この実施形態では、非矩形画素を色画素で置き換えることで、色画素を任意に配置することができるが、一段と高い表示品質を求めるなら、各色画素に線状に隣接する同一色の色画素の数を１又は０に設定する配置構成が好ましい。以下、図３７乃至図４２を参照して、代表的な配置方法を説明する。なお、各種配線は、上述の第１乃至第８の実施形態で述べたと略同様であるので、その説明を省略する。
図３７には、第１の実施形態１（図６）と同じ画素配列構成を用いて、三角形状の各画素（非矩形画素）７、７、…を赤色画素５８ｒ、緑色画素５８ｇ、又は青色画素５８ｂ、…とし、これらの一組から、カラー表示用の単位画素（ピクセル）５８、５９を構成するようにした画素アレイ３ｂが示されている。画素アレイ３ｂの配置構成では、図３７に示すように、三角形状の各色画素に線状に隣接する同一色の色画素の数が１に設定され、三角形状の各色画素５８ｒ、５８ｇ、５８ｂは、同色の色画素と一辺を共有して隣接する態様で配置されている。すなわち、一辺を共有する同色の画素５８ｒと５８ｒ、５８ｇと５８ｇ、５８ｂと５８ｂが二つ一組を構成している。
ここで、画素アレイ３ｂは、色情報まで含めると互いに相似形ではない２種類の単位画素（ピクセル）５８、５９から構成されて全体が埋め尽くされている。
すなわち、このような構成の単位画素５８、５９では、隣接する同じ色の画素が、併進対称で重なり合わない。このため、表示形状外周が特定の方向の傾きを持っている場合にも同じ色が連続する状態とならない。例えば、図中の３つの配線方向のうち、ある一つの配線方向を見た場合、同じ色で相似な画素は、必ず、２色おき３色毎に出現している。このため、ここで想定している３色が必ず混色されるため、特定の色が目立つことがない。すなわち、色のにじみを軽減できる。
【０１０４】
次に、図３８には、３色からなる色画素配置の例で、図３７に対応する色画素配列が簡略化して示されている。この配置構成では、赤色画素６０ｒ、緑色画素６０ｇ、青色画素６０ｂが、互いに相似形ではない単位画素６０、６１を構成する。各色画素は、一辺を共有して隣接する同じ色の画素を一つ有している。図中の破線（配線）７４の上側に辺を接する色画素に注目すると、左側のａと記載した青色画素６０ｂと相似でかつ破線（配線）７４に接する青色画素６０ｂは３色画素毎に現われる。この構成では、相似な形状の同じ色の画素の繰り返しピッチが大きいため、表示形状や外周形状に沿って、単位画素６０、６１中の色画素を一部使用しない場合でも、特定の色が目立って表示されることがない。
【０１０５】
図３９には、この実施形態による色画素６２ｒ、６２ｇ、６２ｂの別の配置構成例が示されている。この配置構成では、単位画素のパターンが４種類存在する。単位画素６２と単位画素６４は色を含めて相似であり、１８０度の回転で重ねることができる。また、単位画素６５と単位画素６３は色を含めて相似であり、１８０度の回転で重ねることができる。一方、単位画素６２と単位画素６５は色を含めると互いに相似でない。この配置構成では、図３８の配置に比べ、１辺を共有し隣接する同じ色の画素は、特定の１色のみ、すなわち、この例では、緑色画素６２ｇ、６２ｇのみとなっている。一方、図中の破線（配線）７５に注目すると、破線（配線）７５と一辺を共有し、その下側に接する色画素は、図中にｂと示した青色画素６２ｂから１画素ピッチシフトした画素はｂと同じ色の青色画素６２ｂとなっている。次に出現するのは図中ｂから６画素シフトした位置である。すなわち、図３８のように繰り返しピッチが一つだけでなく二つのピッチを有する。図３９の配置構成では、一辺を共有して隣接する同じ色の画素が特定の１色（この例では、緑色画素６２ｇ、６２ｇ）に限られる一方、辺を共有しないで並進方向に並んだ画素間のシフトピッチがさまざまな値となっている。この配置構成では、図３８に比べると、相似でない辺を共有する隣接する同じ色の画素による色ムラが低減される一方、シフトピッチが近い同じ色の画素による色ムラは増大する。しかし、従来技術に比べると、格段に表示特性は向上する。
【０１０６】
図４０には、この実施形態による色画素のさらに別の配置構成例が示されている。この配置構成では、図３８と同様、色を含めると形状の異なる２種類の単位画素６６、６７が存在する。しかし、図３８の配置構成では、２種類の単位画素６１、６２が、互いに台形の辺を完全に重ねるように配置されているのに対して、図４０の配置構成では、２種類の単位画素６６、６７の台形の辺は重ならず、色画素の画素ピッチ一つ分ずれている。この結果、各色画素６６ｒ、６６ｇ、６６ｂに線状に隣接する同一色の色画素の数が０に設定されて、隣接する同じ色の画素は辺を共有しない。一方、破線（配線）７６に注目すると、この破線（配線）７６に辺を共有する色画素（例えば、ｂとｃ）は、この破線（配線）７６の方向に１画素毎に繰り返し配置されている。このため、図３８や図３９に比べると、相似でない辺を共有する隣接する同じ色の画素による色ムラは解消する一方、シフトピッチが近い同じ色の画素による色ムラは増大する。しかし、従来技術と比べると、格段に表示特性は向上する。
【０１０７】
次に、図４１には、辺を共有し隣接する同じ色の画素、９５ｒ、９５ｇ、９５ｂが二つ以上存在する例が示されている。この例では、色画素が斜めストライプ状に配置される。このため、特定の方向で色ムラが顕著に発生する。しかし、従来技術と比べると、ぎざぎざ感は軽減される。
【０１０８】
ここまで、色画素の色の数が３つの場合を中心に説明してきたが、色の数は３つに限らず、複数であれば良い。図４２には、４つの色の色画素を用いる配置例が示されている。この例では、赤色画素６８ｒ、緑色画素６８ｇ、青色画素６８ｂに加えて白色画素６８ｗが追加されている。ここでも、２パターンの単位画素６８、６９が存在する。この例では、単位画素６８、６９は回転操作により重なり相似である。この配置構成では、同じ色の色画素が辺を共有して隣接しない。さらに、ある配線の一方の側に辺を接して存在する色画素は同じ色の画素が２画素毎に出現する。この結果、特定の色に起因する色ムラが生じにくい。この実施形態では、非矩形画素が三角形の場合について述べたが、これに限らず、六角形や平行四辺形等の他の形状でも、色画素を構成することができる。
【実施形態１０】
【０１０９】
次に、この発明の第１０の実施形態について説明する。
図４３は、この発明の第１０の実施形態である画素アレイの配置構成を部分的に示す構成図、また、図４４は、同画素アレイの別の配置構成を部分的に示す構成図である。
この実施形態の画素アレイは、同図に示すように、４種類の非矩形のサブ画素８５ａ、８５ｂ、８５ｃ、８５ｄを有している。なお、サブ画素８５ａと８５ｃ、サブ画素８５ｂと８５ｄは、それぞれ回転により重なるので、相似である。各サブ画素８５ａ、８５ｂ、８５ｃ、８５ｄには、例えば、アクティブ素子８６が設けられている。表示内容に応じて、アクティブ素子８６を駆動して、サブ画素の組み合わせ方を変えることで、所望の画素構成、すなわち、矩形又は非矩形の画素構成を択一的に選択できる。例えば、文字表示のときは、矩形の画素構成が選択され、一方、非矩形の図形表示のときは、非矩形の画素構成が選択される構成となっている。
【０１１０】
図４３を参照して、具体的に説明すると、台形のサブ画素８５ａと該サブ画素８５ａの図中右側の三角形のサブ画素８５ｂとの組み合わせから、非矩形の画素８７（この例では、平行四辺形の画素）が構成される。同様に、台形のサブ画素８５ｃと該サブ画素８５ｃの図中左側の三角形のサブ画素８５ｄとの組み合わせから、非矩形の画素（この例では、平行四辺形の画素）８８が構成される。これらの画素８７、８８により、非矩形の画素表示を好適に実現できる。一方、台形のサブ画素８５ａと該サブ画素８５ａの図中左側の三角形のサブ画素８５ｂとの組み合わせから、矩形の画素８９が構成される。同様に、サブ画素８５ｂと８５ｃを組み合わせることにより矩形の画素８５として機能させることが出来る。台形のサブ画素８５ｃと該サブ画素８５ｃの図中右側の三角形のサブ画素８５ｄとの組み合わせから、非矩形の画素（この例では、平行四辺形の画素）９０が構成される。これらの画素８９、９０を組み合わせることで、文字表示の際には、矩形の画素表示を好適に実現できる。このような画素の組替えは、アクティブ素子８６と配線に印加する信号を電気的に変化させることで実現でき、画素の配列自体を変える必要はない。それゆえ、コンテンツに応じて好適な表示方法を選択できる。
【０１１１】
図４４には、同画素アレイの別の配置構成が示されている。この図の構成では、図の中心を中心として象限間で画素配置のパターンが異なっている。アクティブ素子８６と各種配線の配置を除くと、サブ画素９１ａ、９１ｂ、９１ｃ、９１ｄ、９２ａ、９２ｂ、９２ｃ、９２ｄ、９３ａ、９３ｂ、９３ｃ、９３ｄ、９４ａ、９４ｂ、９４ｃ、９４ｄの配置は、ちょうど、図の中心を中心として縦横に折り返した形となっている。このような構成にすると、非矩形の表示において、４象限のそれぞれが好適な傾きを有するため、六角形等、比較的対称な形状の非矩形の表示の際に、表示外形のギザギザ感をなくすことができる。また、図４３と同様に、文字表示に際しては、矩形の画素表示が可能である。
【０１１２】
以上、この発明の実施形態及び実施例を図面を参照して詳述してきたが、具体的な構成はこの実施形態及び実施例に限られるものではなく、この発明の要旨を逸脱しない範囲の設計の変更等があってもこの発明に含まれる。
例えば、上述の各実施形態及び各実施例では、同一の基板上に、第１、第２及び第３の導線を設けるようにしたが、表示装置の種類に応じて、第１及び第２の導線を第１の基板上に設ける一方、第３の導線を第２の基板（対向基板）上に設けるようにしても良い。また、上述の各実施形態及び各実施例では、同一の基板上に、第１、第２及び第３の導線を設ける場合について述べたが、第３の導線を予備の導線又は休止状態の導線としても良い。なお、参考発明の実施形態として示した構成は、必要に応じて、この発明の実施形態又は実施例としても適用できることはもちろんである。
【産業上の利用可能性】
【０１１３】
携帯機器や装飾イルミネーション機器に適用できる。
【符号の説明】
【０１１４】
１、１ａ、１ｂ、２９、３１ａ、３１ｂ、３１ｃ、３１ｄ        表示装置
３、３ａ、３ｂ        表示エリア（非矩形状の画素アレイ）
４、４ａ、４ｂ        第１の周辺回路（周辺回路）
５、５ａ、５ｂ        第２の周辺回路（周辺回路）
６、６ａ、６ｂ        第３の周辺回路（周辺回路）
７、７ａ、７ｂ、７ｄ、７ｅ、７ｆ、７ｇ、７ｈ、７ｉ、７j、７ｋ、７ｍ、７ｎ、７ｐ、７ｑ        三角形状の画素（非矩形画素）
７ｃ        平行四辺形状の画素（非矩形画素）
８、８ｂ、８ｃ、８ｆ、７１        第１の導線
９、９ｂ、９ｃ、９ｆ、７２        第２の導線
１０、１０ｂ、１０ｃ、１０ｄ、１０ｅ、１０ｆ、７３ｂ        第３の導線
８ａ        行導線（第１の導線）
９ａ        第１の列導線（第２の導線）
１０ａ        第２の導線（第３の導線）
１６、ＧＡ、ＧＢ、ＧＧ、Ｇ、ＧＥ        ゲート線（第１の導線）
１７        データ線（第２の導線）
ＳＣ        蓄積容量線（第２の導線）
ＭＣ        メモリ容量線（第２の導線）
Ｃ，Ｃ１、Ｃ２        共通電極線（第２の導線）
１８        蓄積容量線（第３の導線）
ＤＬ        データ線（第３の導線）
１１ａ        表示エリアの外形（外周形状）
２３        中空開口部（非表示部）
Ｈ１、Ｈ２        コンタクト
５８ｒ、６０ｒ、６２ｒ、６５ｒ、６６ｒ、６８ｒ        赤色画素（色画素）
５８ｇ、６０ｇ、６２ｇ、６５ｇ、６６ｇ、６８ｇ        緑色画素（色画素）
５８ｂ、６０ｂ、６２ｂ、６５ｂ、６６ｂ、６８ｂ        青色画素（色画素）
６８ｗ        白色画素（色画素）
５８、５９、６０，６１、６２、６３、６４、６５、６６、６７、６８、６９        単位画素
８５ａ、８５ｂ、８５ｃ、８５ｄ、９１ａ、９１ｂ、９１ｃ、９１ｄ、９２ａ、９２ｂ、９２ｃ、９２ｄ、９３ａ、９３ｂ、９３ｃ、９３ｄ、９４ａ、９４ｂ、９４ｃ、９４ｄ        サブ画素
【図１】
0005641273.tif 000002
【図２】
0005641273.tif 000003
【図３】
0005641273.tif 000004
【図４】
0005641273.tif 000005
【図５】
0005641273.tif 000006
【図６】
0005641273.tif 000007
【図７】
0005641273.tif 000008
【図８】
0005641273.tif 000009
【図９】
0005641273.tif 000010
【図１０】
0005641273.tif 000011
【図１１】
0005641273.tif 000012
【図１２】
0005641273.tif 000013
【図１３】
0005641273.tif 000014
【図１４】
0005641273.tif 000015
【図１５】
0005641273.tif 000016
【図１６】
0005641273.tif 000017
【図１７】
0005641273.tif 000018
【図１８】
0005641273.tif 000019
【図１９】
0005641273.tif 000020
【図２０】
0005641273.tif 000021
【図２１】
0005641273.tif 000022
【図２２】
0005641273.tif 000023
【図２３】
0005641273.tif 000024
【図２４】
0005641273.tif 000025
【図２５】
0005641273.tif 000026
【図２６】
0005641273.tif 000027
【図２７】
0005641273.tif 000028
【図２８】
0005641273.tif 000029
【図２９】
0005641273.tif 000030
【図３０】
0005641273.tif 000031
【図３１】
0005641273.tif 000032
【図３２】
0005641273.tif 000033
【図３３】
0005641273.tif 000034
【図３４】
0005641273.tif 000035
【図３５】
0005641273.tif 000036
【図３６】
0005641273.tif 000037
【図３７】
0005641273.tif 000038
【図３８】
0005641273.tif 000039
【図３９】
0005641273.tif 000040
【図４０】
0005641273.tif 000041
【図４１】
0005641273.tif 000042
【図４２】
0005641273.tif 000043
【図４３】
0005641273.tif 000044
【図４４】
0005641273.tif 000045
【図４５】
0005641273.tif 000046
【図４６】
0005641273.tif 000047
【図４７】
0005641273.tif 000048
【図４８】
0005641273.tif 000049
【図４９】
0005641273.tif 000050